(57)【要約】  第１通信プロトコルに準拠するデータユニットを生成する方法において、データユニットのプリアンブルに含まれる第１フィールド及び第２フィールドが生成される。第１フィールドは、データユニットの継続期間を示す１つ又は複数の情報ビットの第１セットを含み、第１フィールドによって、第２通信プロトコルに準拠する受信デバイスが、データユニットの継続期間を判断することができるように形式化される。第２フィールドは、第１通信プロトコルに準拠する受信デバイスに、データユニットが第１通信プロトコルに準拠していることを示す１つ又は複数の情報ビットの第２セットを含む。第１フィールド及び第２フィールドは、第２通信プロトコルによって、第１フィールド及び第２フィールドのそれぞれに対応するフィールドに対して規定された変調スキームを用いて変調される。
2015518322.tif 000002
【特許請求の範囲】
【請求項１】
第１通信プロトコルに準拠するデータユニットを、通信チャネルを介した伝送のために生成する方法であって、
前記データユニットのプリアンブルに含まれる第１フィールドであって、前記データユニットの継続期間を示す１つ又は複数の情報ビットの第１セットを含み、前記第１フィールドに基づいて前記データユニットの前記継続期間を判断するために、第２通信プロトコルに準拠するが前記第１通信プロトコルには準拠しない受信デバイスによってデコード可能であるように形式化された第１フィールドを生成することと、
前記プリアンブルに含まれる第２フィールドであって、前記第１通信プロトコルに準拠する受信デバイスに、前記データユニットが前記第１通信プロトコルに準拠していることを示す１つ又は複数の情報ビットの第２セットを含む第２フィールドを生成することと
を備え、
前記第２フィールドを生成することは、（ｉ）前記第２通信プロトコルによって規定されていないエラー検出スキームに準拠して１つ又は複数の情報ビットの前記第２セットを生成すること、及び（ｉｉ）前記第２通信プロトコルによってサポートされていないモードを示す１つ又は複数の情報ビットの前記第２セットを生成することの一方又は両方を含み、
前記方法はさらに、
前記第２通信プロトコルによって前記第１フィールドに対応するフィールドに対して規定された変調スキームを用いて前記第１フィールドを変調することと、
前記第２通信プロトコルによって前記第２フィールドに対応するフィールドに対して規定された変調スキームを用いて前記第２フィールドを変調することと、
少なくとも前記第１フィールド及び前記第２フィールドを含むように前記プリアンブルを生成することと、
少なくとも前記プリアンブルを含むように前記データユニットを生成することと
を備える方法。
【請求項２】
前記第２通信プロトコルによって規定されていない前記エラー検出スキームに準拠して１つ又は複数の情報ビットの前記第２セットを生成することは、
前記第２通信プロトコルによって前記対応するフィールドに対して規定されたＣＲＣ多項式とは異なるＣＲＣ多項式に準拠して、前記第２フィールドに対する巡回冗長検査（ＣＲＣ）を生成することを備える、請求項１に記載の方法。
【請求項３】
前記第２通信プロトコルによって規定されていない前記エラー検出スキームに準拠して１つ又は複数の情報ビットの前記第２セットを生成することは、前記第２フィールドに対する巡回冗長検査（ＣＲＣ）を生成することを備え、
前記第２フィールドに対する前記ＣＲＣを生成することは、
前記第２通信プロトコルによって前記対応するフィールドに対して規定されたＣＲＣ多項式に準拠して、複数のＣＲＣビットを生成することと、
前記第２フィールドに対する前記ＣＲＣを生成するために、前記複数のＣＲＣビットの１つ又は複数のビットを暗号化することと
を含む、請求項１に記載の方法。
【請求項４】
前記第２通信プロトコルによって規定されていない前記エラー検出スキームに準拠して１つ又は複数の情報ビットの前記第２セットを生成することは、前記第２フィールドに対する巡回冗長検査（ＣＲＣ）を生成することを備え、
前記第２フィールドに対する前記ＣＲＣを生成することは、
前記第２通信プロトコルによって前記対応するフィールドに対して規定されたＣＲＣ多項式に準拠して複数のＣＲＣビットを生成することと、
前記第２フィールドに対する前記ＣＲＣに対して利用される、前記複数のＣＲＣビットのサブセットを選択することと、
前記第２フィールドに対する前記ＣＲＣを生成するために、前記複数のＣＲＣビットの選択された前記サブセット内の１つ又は複数のビットを暗号化することと
を含む、請求項１に記載の方法。
【請求項５】
前記第２フィールドは、変調及び符号化（ＭＣＳ）サブフィールドを含み、
前記第２通信プロトコルによってサポートされていない前記モードを示す１つ又は複数の情報ビットの前記第２セットを生成することは、前記第２通信プロトコルによってサポートされていない変調及び符号化スキームを示す前記ＭＣＳサブフィールドを生成することを含む、請求項１から４の何れか一項に記載の方法。
【請求項６】
前記第２フィールドはさらに、前記データユニットが前記第１通信プロトコルに準拠しているとの指標を含む、請求項１から５の何れか一項に記載の方法。
【請求項７】
前記第２通信プロトコルは、電気電子技術者協会（ＩＥＥＥ）８０２．１１ａｃ標準に準拠する、請求項１から６の何れか一項に記載の方法。
【請求項８】
前記第１通信プロトコルは、前記ＩＥＥＥ８０２．１１ａｃ標準より高いスループットをサポートする通信プロトコルである、請求項７に記載の方法。
【請求項９】
データユニットのプリアンブルに含まれる第１フィールドであって、前記データユニットの継続期間を示す１つ又は複数の情報ビットの第１セットを含み、前記第１フィールドに基づいて前記データユニットの前記継続期間を判断するために、第２通信プロトコルに準拠するが第１通信プロトコルには準拠しない受信デバイスによってデコード可能であるように形式化された第１フィールドを生成し、
前記プリアンブルに含まれる第２フィールドであって、前記第１通信プロトコルに準拠する受信デバイスに、前記データユニットが前記第１通信プロトコルに準拠していることを示す１つ又は複数の情報ビットの第２セットを含む第２フィールドを生成するネットワークインターフェイスを備える装置であって、
前記第２フィールドを生成することは、（ｉ）前記第２通信プロトコルによって規定されていないエラー検出スキームに準拠して１つ又は複数の情報ビットの前記第２セットを生成すること、及び（ｉｉ）前記第２通信プロトコルによってサポートされていないモードを示す１つ又は複数の情報ビットの前記第２セットを生成することの一方又は両方を含み、
前記ネットワークインターフェイスはさらに、
前記第２通信プロトコルによって前記第１フィールドに対応するフィールドに対して規定された変調スキームを用いて前記第１フィールドを変調し、
前記第２通信プロトコルによって前記第２フィールドに対応するフィールドに対して規定された変調スキームを用いて前記第２フィールドを変調し、
少なくとも前記第１フィールド及び前記第２フィールドを含むように前記プリアンブルを生成し、
少なくとも前記プリアンブルを含むように前記データユニットを生成する装置。
【請求項１０】
前記ネットワークインターフェイスは、前記第２通信プロトコルによって前記対応するフィールドに対して規定されたＣＲＣ多項式とは異なるＣＲＣ多項式に準拠して、前記第２フィールドに対する巡回冗長検査（ＣＲＣ）を少なくとも生成することによって、前記第２通信プロトコルによって規定されていない前記エラー検出スキームに準拠して１つ又は複数の情報ビットの前記第２セットを生成する、請求項９に記載の装置。
【請求項１１】
前記ネットワークインターフェイスは、前記第２フィールドに対する巡回冗長検査（ＣＲＣ）を少なくとも生成することによって、前記第２通信プロトコルによって規定されていない前記エラー検出スキームに準拠して１つ又は複数の情報ビットの前記第２セットを生成し、
前記第２フィールドに対する前記ＣＲＣを生成することは、
前記第２通信プロトコルによって前記対応するフィールドに対して規定されたＣＲＣ多項式に準拠して、複数のＣＲＣビットを生成することと、
前記第２フィールドに対する前記ＣＲＣを生成するために、前記複数のＣＲＣビットの１つ又は複数のビットを暗号化することと
を含む、請求項９に記載の装置。
【請求項１２】
前記ネットワークインターフェイスは、前記第２フィールドに対する巡回冗長検査（ＣＲＣ）を少なくとも生成することによって、前記第２通信プロトコルによって規定されていない前記エラー検出スキームに準拠して１つ又は複数の情報ビットの前記第２セットを生成し、
前記第２フィールドに対する前記ＣＲＣを生成することは、
前記第２通信プロトコルによって前記対応するフィールドに対して規定されたＣＲＣ多項式に準拠して複数のＣＲＣビットを生成することと、
前記第２フィールドに対する前記ＣＲＣに対して利用される、前記複数のＣＲＣのサブセットを選択することと、
前記第２フィールドに対する前記ＣＲＣを生成するために、前記複数のＣＲＣビットの選択された前記サブセット内の１つ又は複数のビットを暗号化することと
を含む、請求項９に記載の装置。
【請求項１３】
前記第２フィールドは、変調及び符号化（ＭＣＳ）サブフィールドを含み、
前記ネットワークインターフェイスは、前記第２通信プロトコルによってサポートされていない変調及び符号化スキームを示す前記ＭＣＳサブフィールドを少なくとも生成することによって、前記第２通信プロトコルによってサポートされていない前記モードを示す１つ又は複数の情報ビットの前記第２セットを生成する、請求項９から１２の何れか一項に記載の装置。
【請求項１４】
前記ネットワークインターフェイスはさらに、前記第２フィールドに、前記データユニットが前記第１通信プロトコルに準拠しているとの指標を含ませる、請求項９から１３の何れか一項に記載の装置。
【請求項１５】
前記第２通信プロトコルは、電気電子技術者協会（ＩＥＥＥ）８０２．１１ａｃ標準に準拠する、請求項９から１４の何れか一項に記載の装置。
【請求項１６】
前記第１通信プロトコルは、前記ＩＥＥＥ８０２．１１ａｃ標準より高いスループットをサポートする通信プロトコルである、請求項１５に記載の装置。
【請求項１７】
第１通信プロトコル又は第２通信プロトコルに準拠するデータユニットを受信することと、
前記データユニットのプリアンブルのフィールドに含まれる受信した巡回冗長検査（ＣＲＣ）をデコードすることを含む、前記フィールドのデコードを行うことと、
前記フィールドに基づいて、前記第１通信プロトコルによって第１フィールドに対して規定された第１ＣＲＣ生成スキームを用いて第１ＣＲＣを生成することと、
前記フィールドに基づいて、前記第２通信プロトコルによって前記フィールドに対して規定された第２ＣＲＣ生成スキームを用いて第２ＣＲＣを生成することと、
（ｉ）生成された前記第１ＣＲＣ及び（ｉｉ）生成された前記第２ＣＲＣと、受信した前記ＣＲＣとを比較することと、
生成された前記第１ＣＲＣが受信した前記ＣＲＣと合致する場合に、前記データユニットが前記第１通信プロトコルに準拠すると判断することと、
生成された前記第２ＣＲＣが受信した前記ＣＲＣと合致する場合に、前記データユニットが前記第２通信プロトコルに準拠すると判断することとを
備える方法。
【請求項１８】
前記第１ＣＲＣを生成することは、
前記第１通信プロトコルによって前記フィールドに対して規定された第１ＣＲＣ多項式に準拠して前記第１ＣＲＣを生成することを備え、
前記第２ＣＲＣを生成することは、
前記第１ＣＲＣ多項式とは異なる前記第２通信プロトコルによって前記フィールドに対して規定された第２ＣＲＣ多項式に準拠して前記第２ＣＲＣを生成することを備える、請求項１７に記載の方法。
【請求項１９】
前記第１ＣＲＣを生成することは、
前記第１通信プロトコルによって前記フィールドに対して規定された第１ＣＲＣ多項式に準拠して前記第１ＣＲＣを生成することを備え、
前記第２ＣＲＣを生成することは、
前記第１ＣＲＣ多項式に準拠して複数のＣＲＣビットを生成することと、
前記第２ＣＲＣを生成するために、前記複数のＣＲＣビットの１つ又は複数のビットを暗号化することと
を備える、請求項１７に記載の方法。
【請求項２０】
前記第１ＣＲＣを生成することは、
前記第１通信プロトコルによって前記フィールドに対して規定された第１ＣＲＣ多項式に準拠して前記第１ＣＲＣを生成することを備え、
前記第２ＣＲＣを生成することは、
前記第１ＣＲＣ多項式に準拠して複数のＣＲＣビットを生成することと、
前記第２ＣＲＣに対する前記ＣＲＣに対して利用される、前記複数のＣＲＣビットのサブセットを選択することと、
前記第２ＣＲＣを生成するために、前記複数のＣＲＣビットの選択された前記サブセット内の１つ又は複数のビットを暗号化することと
を備える、請求項１７に記載の方法。
【請求項２１】
第１通信プロトコル又は第２通信プロトコルに準拠するデータユニットを受信し、
前記データユニットのプリアンブルのフィールドに含まれる受信した巡回冗長検査（ＣＲＣ）をデコードすることを含む、前記フィールドのデコードを行い、
前記フィールドに基づいて、前記第１通信プロトコルによって第１フィールドに対して規定された第１ＣＲＣ生成スキームを用いて第１ＣＲＣを生成し、
前記フィールドに基づいて、前記第２通信プロトコルによって前記フィールドに対して規定された第２ＣＲＣ生成スキームを用いて第２ＣＲＣを生成し、
生成された前記第１ＣＲＣ及び生成された前記第２ＣＲＣと、受信した前記ＣＲＣとを比較し、
生成された前記第１ＣＲＣが受信した前記ＣＲＣと合致する場合に、前記データユニットが前記第１通信プロトコルに準拠すると判断し、
生成された前記第２ＣＲＣが受信した前記ＣＲＣと合致する場合に、前記データユニットが前記第２通信プロトコルに準拠すると判断する、
ネットワークインターフェイスを備える装置。
【請求項２２】
前記ネットワークインターフェイスは、
前記第１通信プロトコルによって前記フィールドに対して規定された第１ＣＲＣ多項式に準拠して前記第１ＣＲＣを生成し
前記第１ＣＲＣ多項式とは異なる前記第２通信プロトコルによって前記フィールドに対して規定された第２ＣＲＣ多項式に準拠して前記第２ＣＲＣを生成する、請求項２１に記載の装置。
【請求項２３】
前記ネットワークインターフェイスは、
前記第１通信プロトコルによって前記フィールドに対して規定された第１ＣＲＣ多項式に準拠して前記第１ＣＲＣを生成し、
少なくとも、
前記第１ＣＲＣ多項式に準拠して複数のＣＲＣビットを生成すること、及び
前記第２ＣＲＣを生成するために、前記複数のＣＲＣビットの１つ又は複数のビットを暗号化することによって、
前記第２ＣＲＣを生成する、請求項２１に記載の装置。
【請求項２４】
前記ネットワークインターフェイスは、
前記第１通信プロトコルによって前記フィールドに対して規定された第１ＣＲＣ多項式に準拠して前記第１ＣＲＣを生成し、
少なくとも、
前記第１ＣＲＣ多項式に準拠して複数のＣＲＣビットを生成すること、
前記第２ＣＲＣに対する前記ＣＲＣに対して利用される、前記複数のＣＲＣビットのサブセットを選択すること、及び
前記第２ＣＲＣを生成するために、前記複数のＣＲＣビットの選択された前記サブセット内の１つ又は複数のビットを暗号化することによって、
前記第２ＣＲＣを生成する、請求項２１に記載の装置。
【請求項２５】
第１通信プロトコルに準拠するデータユニットを、通信チャネルを介した伝送のために生成する方法であって、
少なくとも（ｉ）第１ＯＦＤＭシンボル、（ｉｉ）第２ＯＦＤＭシンボル及び（ｉｉｉ）第３ＯＦＤＭシンボルを含む複数の直交波周波数分割多重（ＯＦＤＭ）シンボルを有する第１フィールドを含む、前記データユニットのプリアンブルを生成することと、
少なくとも前記プリアンブルを含むように前記データユニットを生成することと
を備え、
前記データユニットが第３通信プロトコルに準拠していることを判断するために、第２通信プロトコルに準拠するが前記第１通信プロトコルには準拠しない受信デバイスによってデコード可能であるように、前記第１ＯＦＤＭシンボルは形式化され、
前記データユニットが前記第３通信プロトコルに準拠していることを判断するために、前記第１ＯＦＤＭシンボル及び前記第２ＯＦＤＭシンボルが、第４通信プロトコルに準拠するが前記第１通信プロトコルには準拠しない受信デバイスによってデコード可能であるように、前記第２ＯＦＤＭシンボルは形式化され、
前記第１通信プロトコルに準拠する受信デバイスが、前記データユニットが前記第１通信プロトコルに準拠していることを判断できるように、前記第３ＯＦＤＭシンボルは形式化される、方法。
【請求項２６】
前記プリアンブルの第２フィールドは前記第３通信プロトコルに略準拠し、
前記第２フィールドは、前記データユニットの継続期間を示すレート及び長さサブフィールドを含む、請求項２５に記載の方法。
【請求項２７】
前記第２ＯＦＤＭシンボルと同じ変調であり、前記第２通信プロトコルによって対応するＯＦＤＭシンボルに対して規定された変調とは異なる変調を用いて、前記第１ＯＦＤＭシンボルは変調される、請求項２５又は２６に記載の方法。
【請求項２８】
前記第２通信プロトコルは、電気電子技術者協会（ＩＥＥＥ）８０２．１１ｎ標準に準拠し、
前記第４通信プロトコルは、ＩＥＥＥ８０２．１１ａｃ標準に準拠し、
前記第１通信プロトコルは、前記ＩＥＥＥ８０２．１１ａｃ標準より高いスループットをサポートする通信プロトコルである、請求項２５から２７の何れか一項に記載の方法。
【請求項２９】
少なくとも（ｉ）第１ＯＦＤＭシンボル、（ｉｉ）第２ＯＦＤＭシンボル及び（ｉｉｉ）第３ＯＦＤＭシンボルを含む複数の直交波周波数分割多重（ＯＦＤＭ）シンボルを有する第１フィールドを含む、データユニットのプリアンブルを生成し、
少なくとも前記プリアンブルを含むように前記データユニットを生成する
ネットワークインターフェイスを備える装置であって、
前記データユニットが第３通信プロトコルに準拠していることを判断するために、第２通信プロトコルに準拠するが第１通信プロトコルには準拠しない受信デバイスによってデコード可能であるように、前記第１ＯＦＤＭシンボルは形式化され、
前記データユニットが前記第３通信プロトコルに準拠していることを判断するために、前記第１ＯＦＤＭシンボル及び前記第２ＯＦＤＭシンボルが、第４通信プロトコルに準拠するが前記第１通信プロトコルには準拠しない受信デバイスによってデコード可能であるように、前記第２ＯＦＤＭシンボルは形式化され、
前記第１通信プロトコルに準拠する受信デバイスが、前記データユニットが前記第１通信プロトコルに準拠していることを判断できるように、前記第３ＯＦＤＭシンボルは形式化される、装置。
【請求項３０】
前記ネットワークインターフェイスはさらに、前記プリアンブルの第２フィールドを生成し、
前記第２フィールドは（ｉ）前記第３通信プロトコルに略準拠し、（ｉｉ）前記データユニットの継続期間を示すレート及び長さサブフィールドを含む、請求項２９に記載の装置。
【請求項３１】
前記ネットワークインターフェイスは、前記第２ＯＦＤＭシンボルと同じ変調であり、前記第２通信プロトコルによって対応するＯＦＤＭシンボルに対して規定された変調とは異なる変調を用いて、前記第１ＯＦＤＭシンボルを変調する、請求項２９又は３０に記載の装置。
【発明の詳細な説明】
【技術分野】
【０００１】
本出願は、「Ｐｒｅａｍｂｌｅ Ｄｅｓｉｇｎ ｆｏｒ "ｐｏｓｔ−１１ａｃ" ＷＬＡＮ ａｔ ５ＧＨｚ」との発明の名称の、２０１２年４月３日に出願した米国仮特許出願６１/６１９，６４０号明細書に基づく優先権を主張するものであり、その内容の全体を参照により本出願に組み込む。
【０００２】
本開示は、一般的に、通信ネットワークに関し、より具体的には、直交波周波数分割多重（ＯＦＤＭ）を利用する無線ローカルエリアネットワークに関する。
【背景技術】
【０００３】
インフラモードで動作するときに、無線ローカルエリアネットワーク（ＷＬＡＮ）は、典型的に、アクセスポイント（ＡＰ）、及び１つ又は複数のクライアント局を含む。ＷＬＡＮは、この十年で急速に発展してきた。電気電子技術者協会（ＩＥＥＥ）８０２．１１ａ、８０２．１１ｂ、８０２．１１ｇ及び８０２．１１ｎ標準等のＷＬＡＮ標準の発展により、シングルユーザピークデータスループットは向上してきている。例えば、ＩＥＥＥ８０２．１１ｂ標準は、１１メガビット／秒（Ｍｂｐｓ）のシングルユーザピークスループットを規定し、ＩＥＥＥ ８０２．１１ａ及び８０２．１１ｇ標準は、５４Ｍｂｐｓのシングルユーザピークスループットを規定し、ＩＥＥＥ８０２．１１ｎ標準は、６００Ｍｂｐｓのシングルユーザピークスループットを規定し、ＩＥＥＥ８０２．１１ａｃ標準は、ギガビット／秒（Ｇｂｐｓ）レンジのシングルユーザピークスループットを規定している。さらなる標準は、数十Ｇｂｐｓレンジのスループット等、より大きいスループットを提供することを約束する。
【発明の概要】
【０００４】
ある実施形態では、第１通信プロトコルに準拠するデータユニットを、通信チャネルを介する伝送のために生成する方法は、データユニットのプリアンブルに含まれる第１フィールドを生成することを含む。第１フィールドは、データユニットの継続期間を示す１つ又は複数の情報ビットの第１セットを含む。第１フィールドに基づいてデータユニットの継続期間を判断するために、第１フィールドが、第２通信プロトコルに準拠するが第１通信プロトコルには準拠しない受信デバイスによってデコード可能であるように、第１フィールドは形式化される。方法はまた、プリアンブルに含まれる第２フィールドを生成することを含む。第２フィールドは、第１通信プロトコルに準拠する受信デバイスに、データユニットが第１通信プロトコルに準拠していることを示す１つ又は複数の情報ビットの第２セットを含む。第２フィールドを生成することは、（ｉ）第２通信プロトコルに規定されていないエラー検出スキームに準拠して、１つ又は複数の情報ビットの第２セットを生成すること、及び（ｉｉ）第２通信プロトコルによってサポートされていないモードを示す１つ又は複数の情報ビットの第２セットを生成することの一方又は両方を含む。方法はまた、第２通信プロトコルによって第１フィールドに対応するフィールドに対して規定された変調スキームを用いて、第１フィールドを変調すること、及び、第２通信プロトコルによって第２フィールドに対応するフィールドに対して規定された変調スキームを用いて、第２フィールドを変調することを含む。方法はまた、少なくとも第１フィールド及び第２フィールドを含むようにプリアンブルを生成すること、及び、少なくともプリアンブルを含むようにデータユニットを生成することを含む。
【０００５】
他の実施形態では、方法は、以下の要素の１つ又は複数の組み合わせを含む。
【０００６】
第２通信プロトコルによって規定されていないエラー検出スキームに準拠して、１つ又は複数の情報ビットの第２セットを生成することは、第２通信プロトコルによって対応するフィールドに対して規定されたＣＲＣ多項式とは異なるＣＲＣ多項式に準拠して、第２フィールドに対する巡回冗長検査（ＣＲＣ）を生成することを備える。
【０００７】
第２通信プロトコルによって規定されていないエラー検出スキームに準拠して、１つ又は複数の情報ビットの第２セットを生成することは、第２フィールドに対して巡回冗長検査（ＣＲＣ）を生成することを備える。第２フィールドに対して巡回冗長検査（ＣＲＣ）を生成することは、第２通信プロトコルによって対応するフィールドに対して規定されたＣＲＣ多項式に準拠して複数のＣＲＣビットを生成すること、及び、第２フィールドに対してＣＲＣを生成するために、複数のＣＲＣビットの１つ又は複数のビットを暗号化することを含む。
【０００８】
第２通信プロトコルによって規定されていないエラー検出スキームに準拠して、１つ又は複数の情報ビットの第２セットを生成することは、第２フィールドに対して巡回冗長検査（ＣＲＣ）を生成することを備える。第２フィールドに対して巡回冗長検査（ＣＲＣ）を生成することは、第２通信プロトコルによって対応するフィールドに対して規定されたＣＲＣ多項式に準拠して、複数のＣＲＣビットを生成すること、第２フィールドに対するＣＲＣに対して利用される複数のＣＲＣビットのサブセットを選択すること、及び、第２フィールドに対するＣＲＣを生成するために複数のＣＲＣビットの選択されたサブセットにおいて１つ又は複数のビットを暗号化することを含む。
【０００９】
第２フィールドは、変調及び符号化（ＭＣＳ）サブフィールドを含む。第２通信プロトコルによってサポートされていないモードを示すための１つ又は複数の情報ビットの第２セットを生成することは、第２通信プロトコルによってサポートされていない変調及び符号化スキームを示すためのＭＣＳサブフィールドを生成することを含む。
【００１０】
第２フィールドはさらに、データユニットが第１通信プロトコルに準拠しているとの指標を含む。
【００１１】
第２通信プロトコルは、電気電子技術者協会（ＩＥＥＥ）８０２．１１ａｃ標準に準拠する。
【００１２】
第１通信プロトコルは、ＩＥＥＥ８０２．１１ａｃ標準より高いスループットをサポートする通信プロトコルである。
【００１３】
他の実施形態では、装置は、データユニットのプリアンブルに含まれる第１フィールドを生成するように構成されたネットワークインターフェイスを備える。第１フィールドは、データユニットの継続期間を示す１つ又は複数の情報ビットの第１セットを含む。第１フィールドに基づいてデータユニットの継続期間を判断するために、第１フィールドが、第２通信プロトコルに準拠するが第１通信プロトコルには準拠しない受信デバイスによってデコード可能であるように、第１フィールドは形式化される。ネットワークインターフェイスはまた、プリアンブルに含まれる第２フィールドを生成するように構成される。第２フィールドは、第１通信プロトコルに準拠する受信デバイスに、データユニットが第１通信プロトコルに準拠していることを示す１つ又は複数の情報ビットの第２セットを含む。第２フィールドを生成することは、（ｉ）第２通信プロトコルによって規定されていないエラー検出スキームに準拠する１つ又は複数の情報ビットの第２セットを生成すること、及び（ｉｉ）第２通信プロトコルによってサポートされていないモードを示す１つ又は複数の情報ビットの第２セットを生成することすることの一方又は両方を含む。ネットワークインターフェイスはさらに、第２通信プロトコルによって第１フィールドに対応するフィールドに対して規定された変調スキームを用いて第１フィールドを変調し、第２通信プロトコルによって第２フィールドに対応するフィールドに対して規定された変調スキームを用いて第２フィールドを変調するように構成される。ネットワークインターフェイスはさらに、少なくとも第１フィールド及び第２フィールドを含むようにプリアンブルを生成し、少なくともプリアンブルを含むようにデータユニットを生成するように構成される。
【００１４】
他の実施形態では、装置は、１つ又は複数の以下の特徴の組み合わせを含む。
【００１５】
ネットワークインターフェイスは、第２通信プロトコルによって対応するフィールドに対して規定されたＣＲＣ多項式とは異なるＣＲＣ多項式に準拠して、第２フィールドに対する巡回冗長検査（ＣＲＣ）を少なくとも生成することによって、第２通信プロトコルによって規定されていないエラー検出スキームに準拠する１つ又は複数の情報ビットの第２セットを生成するように構成される。
【００１６】
ネットワークインターフェイスは、第２フィールドに対する巡回冗長検査（ＣＲＣ）を少なくとも生成することによって、第２通信プロトコルによって規定されていないエラー検出スキームに準拠する１つ又は複数の情報ビットの第２セットを生成するように構成される。第２フィールドに対する巡回冗長検査（ＣＲＣ）を少なくとも生成することは、第２通信プロトコルによって対応するフィールドに対して規定されたＣＲＣ多項式に準拠して複数のＣＲＣビットを生成すること、及び、第２フィールドに対してＣＲＣを生成するために複数のＣＲＣビットの１つ又は複数のビットを暗号化することを含む。
【００１７】
ネットワークインターフェイスは、第２フィールドに対する巡回冗長検査（ＣＲＣ）を少なくとも生成することによって、第２通信プロトコルによって規定されていないエラー検出スキームに準拠する１つ又は複数の情報ビットの第２セットを生成するように構成される。第２フィールドに対する巡回冗長検査（ＣＲＣ）を少なくとも生成することは、第２通信プロトコルで対応するフィールドに対して規定されたＣＲＣ多項式に準拠して複数のＣＲＣビットを生成すること、第２フィールドに対するＣＲＣに対して利用される複数のＣＲＣのサブセットを選択すること、及び、第２フィールドに対するＣＲＣを生成するために複数のＣＲＣビットの選択されたサブセット内の１つ又は複数のビットを暗号化することを含む。
【００１８】
第２フィールドは、変調及び符号化（ＭＣＳ）サブフィールドを含む。
【００１９】
ネットワークインターフェイスは、第２通信プロトコルによってサポートされていない変調及び符号化スキームを示すＭＣＳサブフィールドを少なくとも生成することによって、第２通信プロトコルによってサポートされていないモードを示す１つ又は複数の情報ビットの第２セットを生成するように構成される。
【００２０】
ネットワークインターフェイスはさらに、データユニットが第１通信プロトコルに準拠しているとの指標を、第２フィールドに含むように構成される。
【００２１】
第２通信プロトコルは、電気電子技術者協会（ＩＥＥＥ）８０２．１１ａｃ標準に準拠する。
【００２２】
第１通信プロトコルは、ＩＥＥＥ８０２．１１ａｃ標準より高いスループットをサポートする通信プロトコルである。
【００２３】
さらなる他の実施形態では、方法は、第１通信プロトコル又は第２通信プロトコルに準拠するデータユニットを受信することと、フィールドに含まれる受信した巡回冗長検査（ＣＲＣ）をデコードすることを含むデータユニットのプリアンブルのフィールドをデコードすることとを含む。方法はまた、フィールドに基づいて、第１通信プロトコルによって第１フィールドに対して規定された第１ＣＲＣ生成スキームを用いて第１ＣＲＣを生成することを含む。方法はさらに、フィールドに基づいて、第２通信プロトコルによってフィールドに対して規定された第２ＣＲＣ生成スキームを用いて第２ＣＲＣを生成することを含む。方法はさらに、（ｉ）生成された第１ＣＲＣ及び（ｉｉ）生成された第２ＣＲＣと、受信したＣＲＣとを比較することを含む。方法はまた、生成された第１ＣＲＣが受信したＣＲＣと合致する場合に、データユニットが第１通信プロトコルに準拠していると判断すること、及び、生成された第２ＣＲＣが受信したＣＲＣと合致する場合に、データユニットが第２通信プロトコルに準拠していると判断することを含む。
【００２４】
他の実施形態では、方法は、１つ又は複数の以下の要素の組み合わせを含む。
【００２５】
第１ＣＲＣを生成することは、第１通信プロトコルによってフィールドに対して規定された第１ＣＲＣ多項式に準拠して第１ＣＲＣを生成することを備える。
【００２６】
第２ＣＲＣを生成することは、第１ＣＲＣ多項式とは異なる第２通信プロトコルによってフィールドに対して規定された第２ＣＲＣ多項式に準拠して、第２ＣＲＣを生成することを備える。
【００２７】
第１ＣＲＣを生成することは、第１通信プロトコルによってフィールドに対して規定された第１ＣＲＣ多項式に準拠して、第１ＣＲＣを生成することを備える。
【００２８】
第２ＣＲＣを生成することは、第１ＣＲＣ多項式に準拠して複数のＣＲＣビットを生成すること、及び、第２ＣＲＣを生成するために複数のＣＲＣビットの１つ又は複数のビットを暗号化することを備える。
【００２９】
第２ＣＲＣを生成することは、第１ＣＲＣ多項式に準拠して複数のＣＲＣビットを生成すること、第２ＣＲＣに対するＣＲＣに対して利用される、複数のＣＲＣビットのサブセットを選択すること、及び、第２ＣＲＣを生成するために複数のＣＲＣビットの選択されたサブセット内の１つ又は複数のビットを暗号化することを備える。
【００３０】
さらなる他の実施形態では、装置は、第１通信プロトコル又は第２通信プロトコルに準拠するデータユニットを受信し、フィールドに含まれる受信した巡回冗長検査（ＣＲＣ）をデコードすることを含むデータユニットのプリアンブルのフィールドをデコードするように構成されるネットワークインターフェイスを備える。ネットワークインターフェイスはまた、フィールドに基づいて、第１通信プロトコルによって第１フィールドに対して規定された第１ＣＲＣ生成スキームを用いて第１ＣＲＣを生成し、フィールドに基づいて、第２通信プロトコルによってフィールドに対して規定された第２ＣＲＣ生成スキームを用いて第２ＣＲＣを生成するように構成される。ネットワークインターフェイスはさらに、生成された第１ＣＲＣ及び生成された第２ＣＲＣと、受信したＣＲＣとを比較するように構成される。ネットワークインターフェイスはさらに、生成された第１ＣＲＣが受信したＣＲＣと合致する場合に、データユニットが第１通信プロトコルに準拠していると判断し、生成された第２ＣＲＣが受信したＣＲＣと合致する場合に、データユニットが第２通信プロトコルと準拠していると判断するように構成される。
【００３１】
他の実施形態では、装置は、１つ又は複数の以下の特徴の組み合わせを含む。
【００３２】
ネットワークインターフェイスは、第１通信プロトコルによってフィールドに対して規定された第１ＣＲＣ多項式に準拠して、第１ＣＲＣを生成するように構成される。
【００３３】
第１ＣＲＣ多項式とは異なる第２通信プロトコルによってフィールドに対して規定された第２ＣＲＣ多項式に準拠して第２ＣＲＣを生成する。
【００３４】
少なくとも、第１ＣＲＣ多項式に準拠して複数のＣＲＣビットを生成し、第２ＣＲＣを生成するために複数のＣＲＣビットの１つ又は複数のビットを暗号化することによって、第２ＣＲＣを生成する。
【００３５】
ネットワークインターフェイスは、第１通信プロトコルによってフィールドに対して規定された第１ＣＲＣ多項式に準拠して、第１ＣＲＣを生成するように構成される。
【００３６】
少なくとも、第１ＣＲＣ多項式に準拠して複数のＣＲＣビットを生成し、第２ＣＲＣに対するＣＲＣに対して利用される、複数のＣＲＣビットのサブセットを選択し、第２ＣＲＣを生成するために複数のＣＲＣビットの選択されたサブセット内に１つ又は複数のビットを暗号化することによって、第２ＣＲＣを生成する。
【００３７】
さらなる他の実施形態では、第１通信プロトコルに準拠するデータユニットを、通信チャネルを介する伝送のために生成する方法は、データユニットのプリアンブルを生成することを含む。プリアンブルは、少なくとも（ｉ）第１ＯＦＤＭシンボル、（ｉｉ）第２ＯＦＤＭシンボル、及び（ｉｉｉ）第３ＯＦＤＭシンボルを含む複数の直交波周波数分割多重（ＯＦＤＭ）シンボルを有する第１フィールドを含む。データユニットが第３通信プロトコルに準拠していることを判断するために、第１ＯＦＤＭシンボルが、第２通信プロトコルに準拠するが第１通信プロトコルには準拠しない受信デバイスによってデコード可能であるように、第１ＯＦＤＭシンボルは形式化される。データユニットが第３通信プロトコルに準拠していることを判断するために、第１ＯＦＤＭシンボル及び第２ＯＦＤＭシンボルが、第４通信プロトコルに準拠するが第１通信プロトコルには準拠しない受信デバイスによってデコード可能であるように、第２ＯＦＤＭシンボルは形式化される。第１通信プロトコルに準拠する受信デバイスが、データユニットが第１通信プロトコルに準拠していることを判断できるように、第３ＯＦＤＭシンボルは形式化される。方法はまた、少なくともプリアンブルを含むようにデータユニットを生成することを含む。
【００３８】
他の実施形態では、方法は、１つ又は複数の以下の要素の組み合わせを含む。
【００３９】
プリアンブルの第２フィールドは、第３通信プロトコルに略準拠し、第２フィールドは、データユニットの継続期間を示すレート及び長さサブフィールドを含む。
【００４０】
第１ＯＦＤＭシンボルは、第２ＯＦＤＭシンボルと同じ変調であり、第２通信プロトコルによって対応するＯＦＤＭシンボルに対して規定された変調とは異なる変調を用いて変調される。
【００４１】
第２通信プロトコルは、電気電子技術者協会（ＩＥＥＥ）８０２．１１ｎ標準に準拠する。
【００４２】
第３通信プロトコルは、ＩＥＥＥ８０２．１１ａ標準に準拠する。
【００４３】
第４通信プロトコルは、ＩＥＥＥ８０２．１１ａｃ標準に準拠する。
【００４４】
第１通信プロトコルは、ＩＥＥＥ８０２．１１ａｃ標準より高いスループットをサポートする通信プロトコルである。
【００４５】
さらなる他の実施形態では、装置は、データユニットのプリアンブルを生成するように構成されたネットワークインターフェイスを備える。プリアンブルは、少なくとも（ｉ）第１ＯＦＤＭシンボル、（ｉｉ）第２ＯＦＤＭシンボル及び（ｉｉｉ）第３ＯＦＤＭシンボルを含む複数の直交波周波数分割多重（ＯＦＤＭ）シンボルを有する第１フィールドを含む。データユニットが第３通信プロトコルに準拠していることを判断するために、第１ＯＦＤＭシンボルが、第２通信プロトコルに準拠するが第１通信プロトコルには準拠しない受信デバイスによってデコード可能であるように、第１ＯＦＤＭシンボルは形式化される。データユニットが第３通信プロトコルに準拠していることを判断するために、第１ＯＦＤＭシンボル及び第２ＯＦＤＭシンボルが、第４通信プロトコルに準拠するが第１通信プロトコルには準拠しない受信デバイスによってデコード可能であるように、第２ＯＦＤＭシンボルは形式化される。第１通信プロトコルに準拠する受信デバイスが、データユニットが第１通信プロトコルに準拠していることを判断できるように、第３ＯＦＤＭシンボルは形式化される。ネットワークインターフェイスはまた、少なくともプリアンブルを含むようにデータユニットを生成するように構成される。
【００４６】
他の実施形態では、装置は、１つ又は複数の以下の特徴の組み合わせを含む。
【００４７】
ネットワークインターフェイスはさらに、プリアンブルの第２フィールドを生成するように構成される。第２フィールドは、（ｉ）第３通信プロトコルに略準拠し、（ｉｉ）データユニットの継続期間を示すレート及び長さサブフィールドを含む。
【００４８】
ネットワークインターフェイスは、第２ＯＦＤＭシンボルと同じ変調であり、第２通信プロトコルによって対応するＯＦＤＭシンボルに対して規定された変調とは異なる変調を用いて、第１ＯＦＤＭシンボルを変調するように構成される。
【図面の簡単な説明】
【００４９】
【図１】ある実施形態に準じた、例示無線ローカルエリアネットワーク（ＷＬＡＮ）１０を示すブロック図である。
【図２Ａ】従来技術のデータユニットフォーマットを示す図である。
【図２Ｂ】従来技術のデータユニットフォーマットを示す図である。
【図３】別の従来技術のデータユニットフォーマットを示す図である。
【図４】別の従来技術のデータユニットフォーマットを示す図である。
【図５】ある実施形態に準じた、例示データユニットフォーマットを示す図である。
【図６Ａ】従来技術のデータユニットにおけるシンボルを変調するために用いられる変調を示す図である。
【図６Ｂ】ある実施形態に準じた、例示データユニットにおけるシンボルを変調するために用いられる変調を示す図である。
【図７Ａ】ある実施形態に準じた、例示データユニットフォーマットを示す図である。
【図７Ｂ】ある実施形態に準じた、例示データユニットにおけるシンボルを変調するために用いられる変調を示す図である。
【図８Ａ】ある実施形態に準じた、信号フィールドに対する例示ビット割り当てを示す図である。
【図８Ｂ】ある実施形態に準じた、信号フィールドに対する例示ビット割り当てを示す図である。
【図８Ｃ】ある実施形態に準じた、信号フィールドに対する例示ビット割り当てを示す図である。
【図８Ｄ】ある実施形態に準じた、信号フィールドに対する例示ビット割り当てを示す図である。
【図８Ｅ】ある実施形態に準じた、信号フィールドに対する例示ビット割り当てを示す図である。
【図８Ｆ】ある実施形態に準じた、信号フィールドに対する例示ビット割り当てを示す図である。
【図９Ａ】ある実施形態に準じた、例示巡回冗長検査（ＣＲＣ）を示す図である。
【図９Ｂ】ある実施形態に準じた、例示巡回冗長検査（ＣＲＣ）を示す図である。
【図９Ｃ】ある実施形態に準じた、例示巡回冗長検査（ＣＲＣ）を示す図である。
【図１０】ある実施形態に準じた、データユニットが第１通信プロトコル又は第２通信プロトコルの何れに準拠するかどうかを検出するための検出スキームを示すブロック図である。
【図１１】ある実施形態に準じた、データユニットが第１通信プロトコル又は第２通信プロトコルの何れに準拠するかどうかを検出するための別の検出スキームを示すブロック図である。
【図１２】ある実施形態に準じた、データユニットが第１通信プロトコル又は第２通信プロトコルの何れに準拠するかどうかを検出するためのさらなる別の検出スキームを示すブロック図である。
【図１３Ａ】ある実施形態に準じた、例示データユニットフォーマットを示す図である。
【図１３Ｂ】ある実施形態に準じた、図１３Ａに示したデータユニットにおけるシンボルを変調するために用いられる変調を示す図である。
【図１４Ａ】ある実施形態に準じた、例示データユニットフォーマットを示す図である。
【図１４Ｂ】ある実施形態に準じた、図１４Ａに示したデータユニットにおけるシンボルを変調するために用いられる変調を示す図である。
【図１５】ある実施形態に準じた、データユニットを生成するための方法を示す図である。
【図１６】ある実施形態に準じた、データユニットが第１通信プロトコル又は第２通信プロトコルの何れに準拠するかどうかを検出するための方法を示す図である。
【図１７】ある実施形態に準じた、データユニットを生成するための方法を示す図である。
【発明を実施するための形態】
【００５０】
以下に示す実施形態において、無線ローカルエリアネットワーク（ＷＬＡＮ）のアクセスポイント（ＡＰ）等の無線ネットワークデバイスは、１又は複数のクライアント局にデータストリームを送信する。ＡＰは、少なくとも第１通信プロトコルに準拠して、クライアント局と共に動作するように構成されている。いくつかの実施形態によれば、第１通信プロトコルは、「超高スループット」又は「ＵＨＴ」通信プロトコルとしてここでは称される。いくつかの実施形態において、ＡＰ近くの異なるクライアント局は、ＵＨＴ通信プロトコルと同一の周波数帯域であるが一般的により低いデータスループットである動作を規定する１つ又は複数のその他の通信プロトコルに準拠して動作するように構成されている。より低いデータスループットの通信プロトコル（例えば、ＩＥＥＥ ８０２．１１ａ、 ＩＥＥＥ ８０２．１１ｎ、及び／又はＩＥＥＥ ８０２．１１ａｃ）は、「レガシー」通信プロトコルとしてここでは集合的に称される。ＡＰが、ＵＨＴ通信プロトコルに準拠してデータユニットを送信するときに、ＵＨＴ通信プロトコルではなくレガシープロトコルに準拠して動作するクライアント局が、データユニットの継続期間、及び／又はデータユニットが第２通信プロトコルに準拠していないこと等のデータユニットに関する特定の情報を判断することができるように、データのプリアンブルは形式化される。また、ＵＨＴプロトコルに準拠して動作するクライアント局が、データユニットがＵＨＴ通信プロトコルに準拠していることを判断することができるように、データユニットのプリアンブルは形式化される。同様に、ＵＨＴ通信プロトコルに準拠して動作するように構成されたクライアント局はまた、上述したようなデータユニットを送信する。
【００５１】
少なくともいくつかの実施形態においては、上述したような形式化されたデータユニットは、例えば、複数の異なる通信プロトコルに準拠してクライアント局と共に動作するように構成されたＡＰ、及び／又は、複数のクライアント局が複数の異なる通信プロトコルに準拠して動作するＷＬＡＮに対して有用である。上述の例に続いて、ＵＨＴ通信プロトコル及びレガシー通信プロトコルの両方に準拠して動作するように構成された通信デバイスは、データユニットが、レガシー通信プロトコルには準拠せずに、ＵＨＴ通信プロトコルに準拠する形式であることを判断することができる。同様に、ＵＨＴ通信プロトコルには準拠せずに、レガシー通信プロトコルに準拠して動作するように構成された通信デバイスは、データユニットが、レガシー通信プロトコルには準拠する形式でないことを判断すること、及び／又は、データユニットの継続期間を判断することができる。
【００５２】
図１は、ある実施形態に準じた、例示無線ローカルエリアネットワーク（ＷＬＡＮ）１０を示すブロック図である。ＡＰ１４は、ネットワークインターフェイス１６に結合されたホストプロセッサ１５を含む。ネットワークインターフェイス１６は、メディアアクセス制御（ＭＡＣ）プロセッシングユニット１８及び物理層（ＰＨＹ）プロセッシングユニット２０を含む。ＰＨＹプロセッシングユニット２０は、複数のトランシーバ２１を含み、複数のトランシーバ２１は、複数のアンテナ２４に結合されている。３つのトランシーバ２１及び３つのアンテナ２４が図１には示されているが、その他の実施形態では、ＡＰ１４は、その他の適した数（例えば、１、２、４、５等）のトランシーバ２１及びアンテナ２４を含んでもよい。一実施形態において、ＭＡＣプロセッシングユニット１８及びＰＨＹプロセッシングユニット２０は、第１通信プロトコル（例えば、ＵＨＴ通信プロトコル）に準拠して動作するように構成される。別の実施形態において、ＭＡＣプロセッシングユニット１８及びＰＨＹプロセッシングユニット２０はまた、第２通信プロトコル（例えば、ＩＥＥＥ ８０２．１１ａｃ Ｓｔａｎｄａｒｄ）に準拠して動作するように構成される。さらなる別の実施形態においては、ＭＡＣプロセッシングユニット１８及びＰＨＹプロセッシングユニット２０はさらに、第２通信プロトコル、第３通信プロトコル及び／又は第４通信プロトコル（例えば、ＩＥＥＥ ８０２．１１ａ標準及び／又は ＩＥＥＥ ８０２．１１ｎ標準）に準拠して動作するように構成される。
【００５３】
ＷＬＡＮ１０は、複数のクライアント局２５を含む。４つのクライアント局２５が図１には示されているが、さまざまなシナリオ及び実施形態では、ＷＬＡＮ１０は、その他の適した数（例えば、１、２、３、５、６等）のクライアント局２５を含む。少なくとも１つのクライアント局２５（例えばクライアント局２５−１）は、少なくとも第１通信プロトコルに準拠して動作するように構成される。いくつかの実施形態において、少なくとも１つのクライアント局２５は、第１通信プロトコルに準拠して動作するように構成されないが、第２通信プロトコル、第３通信プロトコル及び／又は第４通信プロトコルの少なくとも１つに準拠して動作するように構成される（ここでは、「レガシークライアント局として称される）。
【００５４】
クライアント局２５−１は、ネットワークインターフェイス２７に結合されたホストプロセッサ２６を含む。ネットワークインターフェイス２７は、ＭＡＣプロセッシングユニット２８及びＰＨＹプロセッシングユニット２９を含む。ＰＨＹプロセッシングユニット２９は、複数のトランシーバ３０を含み、複数のトランシーバ３０は、複数のアンテナ３４に結合されている。３つのトランシーバ３０及び３つのアンテナ３４が図１に示されているが、他の実施形態では、クライアント局２５−１は、その他の適した数（例えば、１、２、４、５等）のトランシーバ３０及びアンテナ３４を含む。
【００５５】
ある実施形態によれば、クライアント局２５−４は、レガシークライアント局である。すなわち、クライアント局２５−４は、第１通信プロトコルに準拠してＡＰ１４又は別のクライアント局２５から送信されたデータユニットを受信すること及び完全にデコードすることができない。同様に、ある実施形態によれば、レガシークライアント局２５−４は、第１通信プロトコルに準拠してデータユニットを送信することができない。他方で、レガシークライアント局２５−４は、第２通信プロトコル、第３通信プロトコル及び／又は第４通信プロトコルに準拠してデータユニットを受信すること、完全にデコードすること、及び送信することができる。
【００５６】
ある実施形態において、クライアント局２５−２及び２５−３のうち一方又は両方は、クライアント局２５−１と同じ又は同様な構造を有する。ある実施形態において、クライアント局２５−４は、クライアント局２５−１と同様な構造を有する。これらの実施形態において、クライアント局２５−１と同一又は同様の構造を有するクライアント局２５は、同じ又は異なる数のトランシーバ及びアンテナを有する。例えば、ある実施形態においては、クライアント局２５−２は、２つのトランシーバ及び２つのアンテナだけを有する。
【００５７】
さまざまな実施形態において、ＡＰ１４のＰＨＹプロセッシングユニット２０は、第１通信プロトコルに準拠して、以下に記載する形式を有するデータユニットを生成するように構成される。トランシーバ２１は、アンテナ２４を介して、生成されたデータユニットを送信するように構成される。同様に、トランシーバ２４は、アンテナ２４を介して、データユニットを受信するように構成される。さまざまな実施形態において、ＡＰ１４のＰＨＹプロセッシングユニット２０は、第１通信プロトコルに準拠して、以下に記載する形式を有する、受信したデータユニットを処理し、そのようなデータユニットが第１通信プロトコルに準拠していることを判断するように構成される。
【００５８】
さまざまな実施形態において、クライアントデバイス２５−１のＰＨＹプロセッシングユニット２９は、第１通信プロトコルに準拠して、以下に記載の形式を有するデータユニットを生成するように構成される。トランシーバ３０は、アンテナ３４を介して、生成されたデータユニットを送信するように構成される。同様に、トランシーバ３０は、アンテナ３４を介して、データユニットを受信するように構成される。さまざまな実施形態において、クライアントデバイス２５−１のＰＨＹプロセッシングユニット２９は、第１通信プロトコルに準拠して、以下に記載の形式を有する、受信したデータユニットを処理するように、及び、そのようなデータユニットが第１通信プロトコルに準拠していることを判断するように構成される。
【００５９】
図２Ａに、ある実施形態における、従来技術のＯＦＤＭデータユニット２００を示す。ＡＰ１４は、直交波周波数分割多重（ＯＦＤＭ）変調を用いて、クライアント局２５−４に従来技術のＯＦＤＭデータユニット２００を送信するように構成される。ある実施形態において、クライアント局２５−４はまた、ＡＰ１４にデータユニット２００を送信するように構成される。データユニット２００は、ＩＥＥＥ８０２．１１ａ標準に準拠し、２０メガヘルツ（ＭＨｚ）帯域を占有する。データユニット２００は、一般的にパケット検出、初期同期、及び自動ゲイン制御等のために用いられるレガシーショートトレーニングフィールド（Ｌ−ＳＴＦ）２０２、並びに、一般的にチャネル推定及び高精度同期のために用いられるレガシーロングトレーニングフィールド（Ｌ−ＬＴＦ）２０４を有するプリアンブルを含む。データユニット２００はまた、例えば、データユニットを送信するために用いられる変調タイプ及び符号化レート等の、データユニット２００の特定の物理層（ＰＨＹ）パラメータを搬送するために用いられるレガシー信号フィールド（Ｌ−ＳＩＧ）２０６を含む。データユニット２００はまた、データ部２０８を含む。図２Ｂに、必要に応じて、サービスフィールド、スクランブル物理層サービスデータユニット（ＰＳＤＵ）、テールビット、及びパディングビットを含む、例示データ部２０８（低密度パリティチェック符号化されたものではない）を示す。データユニット２００は、単一入力単一出力（ＳＩＳＯ）チャネル構成における一空間又は空間−時間ストリームでの伝送のために設計されている。
【００６０】
図３に、ある実施形態における、従来技術のＯＦＤＭデータユニット３００を示す。ＡＰ１４は、直交波周波数ドメイン多重（ＯＦＤＭ）変調を用いて、クライアント局２５−４に従来技術のＯＦＤＭデータユニット３００を送信するように構成される。ある実施形態において、クライアント局２５−４はまた、ＡＰ１４にデータユニット３００を送信するように構成される。データユニット３００は、ＩＥＥＥ ８０２．１１ｎ標準に準拠し、２０ＭＨｚ帯域を占有する。データユニット３００は、混合モード状況、すなわち、ＩＥＥＥ ８０２．１１ａ標準には準拠するが、ＩＥＥＥ８０２．１１ｎ標準には準拠しない１つ又は複数のクライアント局をＷＬＡＮが含む場合に対して設計されている。データユニット３００は、Ｌ−ＳＴＦ３０２、Ｌ−ＬＴＦ３０４、Ｌ−ＳＩＧ３０６、高スループット信号フィールド（ＨＴ−ＳＩＧ）３０８、高スループットショートトレーニングフィールド（ＨＴ−ＳＴＦ）３１０、及びＭ個のデータ高スループットロングトレーニングフィールド（ＨＴ−ＬＴＦ）３１２を有するプリアンブルを含む。ここで、Ｍは、多入力多出力（ＭＩＭＯ）チャネル構成においてデータユニット３００を送信することに用いられる空間ストリームの数によって一般的に決定される整数である。特に、ＩＥＥＥ８０２．１１ｎ標準に準拠して、データユニット３００は、データユニット３００が２つの空間ストリームを用いて送信された場合に、２つのＨＴ−ＬＴＦ３１２を含み、データユニット３００が３つ又は４つの空間ストリームを用いて送信された場合には、４つのＨＴ−ＬＴＦ３１２を含む。利用される特定の数の空間ストリームの指標がＨＴ−ＳＩＧフィールド３０８に含まれる。データユニット３００はまた、データ部３１４を含む。
【００６１】
図４に、ある実施形態における、従来技術のＯＦＤＭデータユニット４００を示す。ＡＰ１４は、直交波周波数ドメイン多重（ＯＦＤＭ）変調を用いて、クライアント局２５−４に従来技術のＯＦＤＭデータユニット４００を送信するように構成される。ある実施形態において、クライアント局２５−４はまた、ＡＰ１４にデータユニット４００を送信するように構成される。データユニット４００は、ＩＥＥＥ８０２．１１ｎ標準に準拠し、２０ＭＨｚ帯域を占有する。データユニット４００は、「グリーンフィールド」状況、すなわち、ＩＥＥＥ ８０２．１１ａ標準には準拠するが、ＩＥＥＥ８０２．１１ｎ標準には準拠しないクライアント局をＷＬＡＮが含まない場合に対して設計されている。データユニット４００は、高スループットグリーンフィールドショートトレーニングフィールド（ＨＴ−ＧＦ−ＳＴＦ）４０２、第１高スループットロングトレーニングフィールド（ＨＴ−ＬＴＦ１）４０４、ＨＴ−ＳＩＧ４０６、及びＭ個のデータＨＴ−ＬＴＦ４０８を有するプリアンブルを含む。ここで、Ｍは、多入力多出力（ＭＩＭＯ）チャネル構成においてデータユニット４００を送信することに用いられる空間ストリームの数に一般的に対応する整数である。データユニット４００はまた、データ部４１０を含む。
【００６２】
図５に、ある実施形態における、従来技術のＯＦＤＭデータユニット５００を示す。クライアント局ＡＰ１４は、直交波周波数ドメイン多重（ＯＦＤＭ）変調を用いて、クライアント局２５−４に従来技術のＯＦＤＭデータユニット５００を送信するように構成される。ある実施形態において、クライアント局２５−４はまた、ＡＰ１４にデータユニット５００を送信するように構成される。データユニット５００は、ＩＥＥＥ ８０２．１１ａｃ標準に準拠し、「混合フィールド」状況に対して設計されている。データユニット５００は、２０ＭＨｚ帯域幅を占有する。他の実施形態又はシナリオにおいて、データユニット５００と同様なデータユニットは、４０ＭＨｚ、８０ＭＨｚ又は１６０ＭＨｚ帯域幅等の異なる帯域幅を占有する。データユニット５００は、Ｌ−ＳＴＦ５０２、Ｌ−ＬＴＦ５０４、Ｌ−ＳＩＧ５０６、第１極高スループット信号フィールド（ＶＨＴ−ＳＩＧＡ１）５０８−１及び第２極高スループット信号フィールド（ＶＨＴ−ＳＩＧＡ２）５０８−２を含む２つの第１極高スループット信号フィールド（ＶＨＴ−ＳＩＧＡ）５０８、極高スループットショートトレーニングフィールド（ＶＨＴ−ＳＴＦ）５１０、Ｍ個の極高スループットロングトレーニングフィールド（ＶＨＴ−ＬＴＦ）５１２、及び第２超高スループット信号フィールド（ＶＨＴ−ＳＩＧ−Ｂ）５１４を有するプリアンブルを含む。ここで、Ｍは、整数である。データユニット５００はまた、データ部５１６を含む。
【００６３】
図６Ａは、ＩＥＥＥ８０２．１１ｎ標準によって規定されたように、図３のデータユニット３００のＬ−ＳＩＧ、ＨＴ−ＳＩＧ１及びＨＴ−ＳＩＧ２フィールドの変調を示す一連の図である。Ｌ−ＳＩＧフィールドは、二位相偏移変調（ＢＰＳＫ）に準拠して変調される。他方で、ＨＴ−ＳＩＧ１及びＨＴ−ＳＩＧ２フィールドは、ＢＰＳＫに準拠して変調されるが、直交軸上において変調される（Ｑ−ＢＰＳＫ）。つまり、ＨＴ−ＳＩＧ１及びＨＴ−ＳＩＧ２フィールドの変調は、Ｌ−ＳＩＧフィールドの変調と比べて９０度回転されている。
【００６４】
図６Ｂは、ＩＥＥＥ８０２．１１ａｃ標準によって規定されたように、図５のデータユニット５００のＬ−ＳＩＧ、ＶＨＴ−ＳＩＧＡ１及びＶＨＴ−ＳＩＧＡ２フィールドの変調を示す一連の図である。図６ＡのＨＴ−ＳＩＧ１フィールドとは異なり、ＶＨＴ−ＳＩＧＡ１フィールドは、Ｌ−ＳＩＧフィールドの変調と同じように、ＢＰＳＫに準拠して変調される。他方で、ＶＨＴ−ＳＩＧＡ２フィールドは、Ｌ−ＳＩＧフィールドの変調と比べて９０度回転されている。
【００６５】
図７Ａに、ある実施形態における、ＯＦＤＭデータユニット７００を示す。クライアント局ＡＰ１４は、直交波周波数ドメイン多重（ＯＦＤＭ）変調を用いて、クライアント局２５−１にＯＦＤＭデータユニット７００を送信するように構成される。ある実施形態において、クライアント局２５−１はまた、ＡＰ１４にデータユニット７００を送信するように構成される。データユニット７００は、第１通信プロトコルに準拠し、２０ＭＨｚ帯域幅を占有する。他の実施形態において、データユニット７００と同様なデータユニットは、例えば、４０ＭＨｚ、８０ＭＨｚ、１６０ＭＨｚ、３２０ＭＨｚ、６４０ＭＨｚ等の他の適した帯域幅、あるいはその他の適した帯域幅を占有する。データユニット７００は、「混合モード」状況、すなわち、レガシー通信プロトコルに準拠するが、第１通信プロトコルには準拠しないクライアント局（例えばレガシークライアント局２４−４）をＷＬＡＮ１０が含む場合に適している。いくつかの実施形態において、データユニット７００は、その他の状況において利用される。
【００６６】
データユニット７００は、Ｌ−ＳＴＦ７０２、Ｌ−ＬＴＦ７０４、Ｌ−ＳＩＧ７０６、第１超高スループット信号フィールド（ＵＨＴ−ＳＩＧＡ１）７０８−１及び第２超高スループット信号フィールド（ＵＨＴ−ＳＩＧＡ２）７０８−２を含む２つの第１超高スループット信号フィールド（ＵＨＴ−ＳＩＧＡ）７０８、超高スループットショートトレーニングフィールド（ＵＨＴ−ＳＴＦ）７１０、Ｍ個の超高スループットロングトレーニングフィールド（ＵＨＴ−ＬＴＦ）７１２、及び第３超高スループット信号フィールド（ＵＨＴ−ＳＩＧＢ）７１４を有するプリアンブルを含む。ここで、Ｍは整数である。ある実施形態において、ＵＨＴ−ＳＩＧＡ７０８は、２つのＯＦＤＭシンボルを備え、ＵＨＴ−ＳＩＧＡ１フィールド７０８−１は、第１ＯＦＤＭシンボルを備え、ＵＨＴ−ＳＩＧＡ２は、第２ＯＦＤＭシンボルを備える。少なくともいくつかの例においては、ＵＨＴ−ＳＩＧＡ７０８は、シングル極高スループット信号フィールド（ＵＨＴ−ＳＩＧＡ）７０８として集合的に称される。いくつかの実施形態においては、データユニット７００はまた、データ部７１６を含む。他の実施形態においては、データユニット７００は、データ部７１６を省略する。
【００６７】
図７Ａの実施形態では、データユニット７００は、Ｌ−ＳＴＦ７０２、Ｌ−ＬＴＦ７０４、Ｌ−ＳＩＧ７０６、及びＵＨＴ−ＳＩＧＡ１ ７０８のそれぞれの１つを含む。データユニット７００と同様なＯＦＤＭデータユニットが、２０ＭＨｚ以外の累積帯域幅を占有するその他の実施形態において、ある実施形態では、Ｌ−ＳＴＦ７０２、Ｌ−ＬＴＦ７０４、Ｌ−ＳＩＧ７０６、及びＵＨＴ−ＳＩＧＡ１  ７０８のそれぞれは、データユニットの全帯域幅のうちの対応する数の２０ＭＨｚサブバンドにわたって繰り返される。例えば、ある実施形態において、ＯＦＤＭデータユニットは、８０ＭＨｚ帯域幅を占有し、従って、ある実施形態では、ＯＦＤＭデータユニットは、Ｌ−ＳＴＦ７０２、Ｌ−ＬＴＦ７０４、Ｌ−ＳＩＧ７０６、及びＵＨＴ−ＳＩＧＡ１  ７０８を４つずつ含む。いくつかの実施形態では、異なる２０ＭＨｚサブバンド信号の変調は、異なる角度で回転される。例えば、一実施形態においては、第１サブバンドは０度回転され、第２サブバンドは９０度回転され、第３サブバンドは１８０度回転され、第４サブバンドは、２７０度回転される。その他の実施形態では、異なる適した回転が利用される。少なくともいくつかの実施形態では、２０ＭＨｚサブバンド信号の異なる位相により、データユニット７００内のＯＦＤＭシンボルのピーク対平均電力比（ＰＡＰＲ）が低減される。ある実施形態において、第１通信プロトコルに準拠するデータユニットが、２０ＭＨｚ、４０ＭＨｚ、８０ＭＨｚ、１６０ＭＨｚ、３２０ＭＨｚ、６４０ＭＨｚ等の累積帯域幅を占有するＯＦＤＭデータユニットである場合に、ＵＨＴ−ＳＴＦ、ＵＨＴ−ＬＴＦ、ＵＨＴ−ＳＩＧＢ及びＵＨＴデータ部は、データユニットの対応する全帯域幅を占有する。
【００６８】
図７Ｂは、ある実施形態における、図７Ａのデータユニット７００のＬ−ＳＩＧ７０６、ＵＨＴ−ＳＩＧＡ１  ７０８−１、及びＵＨＴ−ＳＩＧＡ２  ７０８−２の変調を示す一連の図である。本実施形態においては、Ｌ−ＳＩＧ７０６、ＵＨＴ−ＳＩＧＡ１  ７０８−１及びＵＨＴ−ＳＩＧＡ２  ７０８−２フィールドは、図６Ｂに示され、ＩＥＥＥ ８０２．１１ａｃ標準に規定されているように、対応するフィールドの変調と同じ変調を有する。従って、ＵＨＴ−ＳＩＧＡ１フィールドは、Ｌ−ＳＩＧフィールドと同じように変調される。他方で、ＵＨＴ−ＳＩＧＡ２フィールドは、Ｌ−ＳＩＧフィールドの変調と比べて９０度回転されている。
【００６９】
ある実施形態において、データユニット７００のＬ−ＳＩＧ７０６、ＵＨＴ−ＳＩＧＡ１  ７０８−１、及びＵＨＴ−ＳＩＧＡ２  ７０８−２フィールドの変調は、ＩＥＥＥ８０２．１１ａｃ標準（例えば図５のデータユニット５００）に準拠するデータユニット内の対応するフィールドの変調に対応しているので、ＩＥＥＥ８０２．１１ａ標準及び／又はＩＥＥＥ８０２．１１ｎ標準に準拠して動作するように構成されたレガシークライアント局は、少なくともいくつかの環境では、データユニット７００はＩＥＥＥ−８０２．１１ａｃ標準に準拠しているとみなして、それに応じてデータユニット７００を処理してもよい。例えば、ＩＥＥＥ８０２．１１ａ標準に準拠するクライアント局は、データユニット７００のプリアンブルのレガシーＩＥＥＥ ８０２−１１ａ標準部分を認識して、Ｌ−ＳＩＧ７０６に示された継続期間に従ったデータユニット継続期間を設定してもよい。例えば、ある実施形態において、レガシークライアント局は、Ｌ−ＳＩＧフィールド７０６に示されたレート及び長さ（例えばバイト数）に基づいて継続期間を算出してもよい。ある実施形態において、Ｌ−ＳＩＧフィールド７０６内のレート及び長さは、レガシー通信プロトコルに準拠して動作するように構成されたクライアント局が、データユニット７００の実際の継続期間に対応する又は少なくとも近似しているパケット継続期間（Ｔ）を、当該レート及び長さに基づいて、算出しうるように設定される。例えば、一実施形態において、レートは、ＩＥＥＥ ８０２．１１ａ標準によって規定された最低レート（すなわち６Ｍｂｐｓ）を示すように設定され、長さは、当該最低レートを用いて算出されたパケット継続期間が、データユニット７００の実際の継続期間に少なくとも近似するように算出された値に設定される。
【００７０】
ある実施形態において、ＩＥＥＥ−８０２．１１ａ標準に準拠するレガシークライアント局は、データユニット７００を受信したときに、例えば、Ｌ−ＳＩＧフィールド７０６のレート及び長さフィールドを用いて、データユニット７００に対するパケット継続期間を算出してもよく、ある実施形態では、クリアチャネルアセスメント（ＣＣＡ）を実行する前に、算出されたパケット継続期間の終了まで待機してもよい。よって、本実施形態では、通信媒体は、少なくともデータユニット７００の継続期間、レガシークライアント局によるアクセスから保護される。ある実施形態において、レガシークライアント局は、データユニット７００のデコードを続けてもよいが、（例えばフレームチェックシーケンス（ＦＣＳ）を用いての）データユニット７００の終わりにおけるエラーチェックが機能しなくなるであろう。
【００７１】
同様に、ある実施形態では、ＩＥＥＥ８０２−１１ｎ標準に準拠して動作するように構成されたレガシークライアント局は、データユニット７００を受信したときに、データユニット７００のＬ−ＳＩＧ７０６に示されたレート及び長さに基づいて、データユニット７００のパケット継続期間（Ｔ）を算出してもよい。レガシークライアント局は、第１ＵＨＴ信号フィールド（ＵＨＴ−ＳＩＧＡ１）７０８−１（ＢＰＳＫ）の変調を検出して、データユニット７００がＩＥＥＥ−８０２．１１ａ標準に準拠するレガシーデータユニットであるとみなしてもよい。ある実施形態において、レガシークライアント局は、データユニット７００をデコードすることを続けてもよいが、（例えばフレームチェックシーケンス（ＦＣＳ）を用いての）データユニットの終わりにおけるエラーチェックが機能しなくなるであろう。いずれにしても、ある実施形態では、ＩＥＥＥ８０２−１１ｎ標準に準拠して、レガシークライアント局は、クリアチャネルアセスメント（ＣＣＡ）を実行する前に、算出されたパケット継続期間（Ｔ）の終了まで待機してもよい。よって、ある実施形態では、通信媒体は、データユニット７００の継続期間、レガシークライアント局によるアクセスから保護されうる。
【００７２】
ある実施形態では、ＩＥＥＥ８０２．１１ａｃ標準に準拠して動作するが、第１通信プロトコルには準拠しないように構成されたレガシークライアント局は、データユニット７００を受信したときに、データユニット７００のＬ−ＳＩＧ７０６に示されたレート及び長さに基づいて、データユニット７００のパケット継続期間（Ｔ）を算出してもよい。しかしながら、レガシークライアント局は、ある実施形態では、データユニット７００の変調に基づいて、データユニット７００がＩＥＥＥ ８０２．１１ａｃ標準に準拠していないことを検出することができなくてもよい。いくつかの実施形態において、データユニット７００の１つ又は複数のＵＨＴ信号フィールド（例えば、ＵＨＴ−ＳＩＧＡ１及び／又はＵＨＴ−ＳＩＧＡ２）は意図的に、レガシークライアント局に、データユニット７００をデコードしているときにエラーを検出させ、このためデータユニット７００のデコードを停止（又は「ドロップ」）させるように形式化される。例えば、ある実施形態では、データユニット７００のＵＨＴ−ＳＩＧＡ７０８は、ＳＩＧＡフィールドがＩＥＥＥ８０２．１１ａｃ標準に準拠してレガシーデバイスによってデコードされるときに、エラーを意図的に起こすように形式化される。さらに、ある実施形態では、ＩＥＥＥ８０２−１１ａｃ標準に準拠して、ＶＨＴ−ＳＩＧＡフィールドをデコードしているときにエラーが検出された場合に、クライアント局は、データユニット７００をドロップし、クリアチャネルアセスメント（ＣＣＡ）を実行する前に、例えば、データユニット７００のＬ−ＳＩＧ７０６に示されたレート及び長さに基づいて、算出された算出パケット継続期間（Ｔ）の終了まで待機してもよい。よって、ある実施形態では、通信媒体は、データユニット７００の継続期間、レガシークライアント局によるアクセスから保護されうる。
【００７３】
図８Ａから８Ｆに、ある実施形態における、ＵＨＴ−ＳＩＧＡフィールド７０８のさまざまな部分に対する例示ビット割り当てを示す。特に、ある実施形態において、図８Ａから８Ｃは、ＵＨＴ−ＳＩＧＡ１フィールド７０８−１（又はＵＨＴ−ＳＩＧＡ１フィールド７０８−１の一部）に対する例示ビット割り当てを示し、図８Ｄから８Ｆは、ＵＨＴ−ＳＩＧＡ２フィールド７０８−２（又はＵＨＴ−ＳＩＧＡ２フィールド７０８−２の一部）に対する例示ビット割り当てを示す。いくつかの実施形態では、ＵＨＴ−ＳＩＧＡフィールド７０８は、一般的に、ＩＥＥＥ８０２．１１ａｃ標準に規定されたように、ＶＨＴ−ＳＩＧＡ１フィールドと同様に形式化されるが、ＩＥＥＥ８０２．１１ａｃ標準に準拠して動作するように構成されたレガシークライアント局に、意図的に、ＵＨＴ−ＳＩＧＡフィールド７０８からエラーを検出させるために、ＵＨＴ−ＳＩＧＡフィールド７０８の１つ又は複数のサブフィールドは、ＩＥＥＥ８０２−１１ａｃ標準で規定された対応するサブフィールドと比べて変更され、及び／又は、ＩＥＥＥ８０２−１１ａｃ標準によってサポートされていない値を含む。
【００７４】
図８Ａを参照すると、図示した実施形態においては、ＵＨＴ−ＳＩＧＡ１フィールド７０８−１は、２４の情報ビットを集合的に備える複数のサブフィールド８０２を含む。複数のサブフィールド８０２は、２ビットの帯域幅（ＢＷ）サブフィールド８０２−１、１ビットの第１リザーブ（Ｒｅｓｅｒｖｅｄ）サブフィールド８０２−２、１ビットの空間時間ブロック符号化（ＳＴＢＣ）サブフィールド８０２−３、６ビットのグループ識別（Ｇｒｏｕｐ ＩＤ）サブフィールド８０２−４、１２ビットのＮＳＴＳ／Ｐａｒｔｉａｌ ＡＩＤサブフィールド８０２−５、１ビットのＴＸＯＰ＿ＰＳ＿ＮＯＴ＿ＡＬＬＯＷＥＤサブフィールド８０２−６、及び１ビットの第２リザーブ（Ｒｅｓｅｒｖｅｄ）サブフィールド８０２−７を含む。ＮＳＴＳ／Ｐａｒｔｉａｌ ＡＩＤサブフィールド８０２−５の内容は、データユニット７００がシングルユーザデータユニット（例えば、シングルクライアント局に情報を送信するために用いられるデータユニット）であるか、又は、マルチユーザデータユニット（例えば、複数のクライアント局に対する複数の独立したデータストリームを含むデータユニット）であるかどうかによって決まる。図８Ｂ及び８Ｃはそれぞれ、ある実施形態における、シングルユーザ及びマルチユーザデータユニットに対するＮＳＴＳ／Ｐａｒｔｉａｌ ＡＩＤサブフィールド８０２−５を示す。図８Ｂを参照すると、データユニット７００がシングルユーザデータユニットである実施形態では、ＮＳＴＳ／Ｐａｒｔｉａｌ ＡＩＤサブフィールド８０２−５は、３ビットのシングルユーザ数の空間−時間ストリームサブフィールド８０２−５ａ及び９ビットのＰａｒｔｉａｌ ＡＩＤサブフィールド８０２−５ｂを備える。図８Ｃを参照すると、データユニット７００がマルチユーザデータユニットである実施形態では、ＮＳＴＳ／Ｐａｒｔｉａｌ ＡＩＤサブフィールド８０２−５は、４つの３ビットユーザＮｓｔｓサブフィールド８０２−５ｃから８０２−５ｆを備える。ここで、ユーザサブフィールド８０２−５ｃから８０２−５ｆのそれぞれは、信号フィールド８００の対象の受け手に対応する複数の空間時間ストリームを示す。
【００７５】
ここで図８Ｄを参照すると、図示した実施形態では、ＵＨＴ−ＳＩＧＡ２フィールド７０８−２は、２４の情報ビットを集合的に備える複数のサブフィールド８１０を含む。複数のサブフィールド８１０は、１ビットのＳｈｏｒｔ ＧＩサブフィールド８１０−１、１ビットのＳｈｏｒｔ ＧＩ ＮＳＹＭ Ｄｉｓａｍｂｉｇｕａｔｉｏｎサブフィールド８１０−２、１ビットのＳＵ／ＭＵ［０］ Ｃｏｄｉｎｇサブフィールド９１０−３、１ビットのＬＤＰＣ Ｅｘｔｒａ ＯＦＤＭ Ｓｙｍｂｏｌサブフィールド８１０−４、１２ビットのＳＵ ＭＣＳ／ＭＵ［１−３］ Ｃｏｄｉｎｇサブフィールド９１０−５、及び１ビットのｂｅａｍｓｔｅｅｒｉｎｇ／ｒｅｓｅｒｖｅｄサブフィールド８１０−６、ｒｅｓｅｒｖｅｄサブフィールド８１０−７、８ビットの巡回冗長検査（ＣＲＣ）サブフィールド８１０−８、及びｔａｉｌサブフィールド８０１−９を含む。ＭＵ［１−３］ Ｃｏｄｉｎｇサブフィールド９１０−５の内容は、データユニット７００がシングルユーザデータユニットであるか又はマルチユーザデータユニットであるかによって決まる。図８Ｅ及び８Ｆはそれぞれ、シングルユーザ及びマルチユーザデータユニットに対するＳＵ ＭＣＳ／ＭＵ［１−３］ Ｃｏｄｉｎｇサブフィールド８１０−５を示す。図８Ｅを参照すると、データユニット７００がシングルユーザデータユニットである実施形態では、ＳＵ ＭＣＳ／ＭＵ［１−３］ Ｃｏｄｉｎｇサブフィールド８１０−５は、４ビットのシングルＳＵ ＭＣＳサブフィールド８１０−５ａを備える。図８Ｆを参照すると、データユニット７００がマルチユーザデータユニットである実施形態では、ＳＵ ＭＣＳ／ＭＵ［１−３］ Ｃｏｄｉｎｇサブフィールド８１０−５は、４つの１ビットサブフィールド８１０−５ｂから８１０−５ｅを備える。サブフィールド８１０−５ｂから８１０−５ｅのそれぞれは、信号フィールド８１０の特定の対象の受け手に対して利用される符号化を示し、サブフィールド８１０−５ｅは、リザーブとされる。
【００７６】
いくつかの実施形態において、第１通信プロトコル（例えば、データユニット７００のＵＨＴ−ＳＩＧＡフィールド７０８）に準拠するデータユニットの信号フィールドは、レガシー通信プロトコル（例えば、ＩＥＥＥ ８０２．１１ａｃ標準で規定されたようなＶＨＴ−ＳＩＧＡ）によって規定されるレガシーデータユニットの対応する信号フィールドと同様ではあるが、１つ又は複数の情報ビットのセットがレガシー通信プロトコルに準拠して生成された対応する情報ビットとは異なるように生成されるように形式化される。例えば、ある実施形態では、１つ又は複数の情報ビットのセットは、レガシー通信プロトコルによって規定されていないエラー検出スキーム（例えば、ＣＲＣ）によって生成された情報ビットを含む。他の例では、ある実施形態では、１つ又は複数の情報ビットのセットは、レガシー通信プロトコルによってサポートされていないモードを示すように設定された情報ビットを含む。少なくともいくつかの実施形態及び／又はシナリオでは、第１通信プロトコルに準拠して形式化された信号フィールドとレガシー通信プロトコルに準拠して形式化された信号フィールドとの差異により、第２通信プロトコルに準拠するが、第１通信プロトコルには準拠しない受信デバイスが、第１通信プロトコルに準拠するデータユニットの信号フィールドをデコードするときにエラーを検出することができる。さらに、少なくともいくつかの実施形態では、そのような差異により、第１通信プロトコルに準拠する受信デバイスは、受信したデータユニットが第１通信プロトコルに準拠するか又はレガシー通信プロトコルに準拠するかどうかを判断することができる。
【００７７】
例えば、いくつかの実施形態では、ＣＲＣサブフィールド８１０−８（図８Ｃ）に含まれるＣＲＣは、ＩＥＥＥ ８０２．１１ａｃ標準によってＶＨＴ−ＳＩＧＡフィールドに対して規定されたＣＲＣとは異なるやり方で生成される。ある実施形態では、ＵＨＴ−ＳＩＧＡフィールド７０８に対する異なるＣＲＣにより、ＵＨＴ−ＳＩＧＡフィールド７０８が、ＩＥＥＥ ８０２．１１ａｃ標準に準拠するが第１通信プロトコルには準拠しないクライアント局によってデコードされたときにＣＲＣエラーを起こしうる。さらに、ある実施形態では、異なるＣＲＣにより、第１通信プロトコルに準拠するクライアント局は、データユニット７００が第１通信プロトコルに準拠することを判断することができる。
【００７８】
図９Ａから９Ｃに、いくつかの実施形態における、第１通信プロトコルに準拠するデータユニットのＵＨＴ−ＳＩＧＡフィールドに対するＣＲＣを生成するために用いられる例示ＣＲＣ生成スキーム９５０、９６０、９７０を示す。さまざまな実施形態では、ＣＲＣ生成スキーム９５０、９６０、９７０は、第１通信プロトコルに準拠するデータユニットの別の適したＵＨＴ−ＳＩＧＡフィールドに対するＣＲＣサブフィールド８１０−８（図８Ｄ）又はＣＲＣフィールドを生成するために用いられる。
【００７９】
図９Ａを参照すると、ＣＲＣ生成スキーム９５０によれば、ある実施形態では、ＵＨＴ−ＳＩＧＡフィールドに対する８ビットのＣＲＣは、ＩＥＥＥ ８０２．１１ａｃ標準でＶＨＴ−ＳＩＧＡフィールドに対して規定された多項式とは異なる多項式を用いて生成される。例えば、一実施形態では、ブロック９５２において、ＶＨＴ−ＳＩＧＡフィールドに対して規定された多項式に対して少なくとも略直交する８ビットの多項式が利用される。他の実施形態では、ＶＨＴ−ＳＩＧＡフィールドに対して規定されたＣＲＣ多項式とは異なるその他の適した多項式が、ブロック９５２にて利用される。ここで図９Ｂを参照すると、ＣＲＣ生成スキーム９６０によれば、本実施形態では、ＵＨＴ−ＳＩＧＡ７０８に対する８ビットのＣＲＣが、ＩＥＥＥ ８０２．１１ａｃ標準でＶＨＴ−ＳＩＧＡフィールドに対して規定された多項式を用いて生成されるが（ブロック９６２）、生成されたＣＲＣの１つ又は複数のビットはフリップされるか（すなわち「０」は「１」に変更され、「１」は「０」に変更される）、もしくは、暗号化される（ブロック９６４）。
【００８０】
図９Ｃを参照すると、ＣＲＣ生成スキーム９７０によれば、ある実施形態では、ＩＥＥＥ８０２．１１ａｃ標準でＶＨＴ−ＳＩＧＡフィールドに対して規定された８ビットのＣＲＣより少ないビットを有するＣＲＣが、ＵＨＴ−ＳＩＧＡフィールドに対して生成される。例えば、いくつかの実施形態では、４ビットのＣＲＣがＵＨＴ−ＳＩＧＡに対して生成される。４ビットのＣＲＣは、例えば、ＩＥＥＥ８０２．１１ａｃ標準でＶＨＴ−ＳＩＧＡフィールドに対して規定された多項式を用いて生成される（ブロック９７２）。次に、生成されたＣＲＣの４ビットのサブセット（ブロック９７４）が選択される。例えば、いくつかの実施形態では、生成されたＣＲＣの４最上位ビット（ＭＳＢ）又は４最下位ビット（ＬＳＢ）（ブロック９７４）が選択される。また、この実施形態では、選択された４ビットのＣＲＣの１つ又は複数ビットは、フリップされるか（すなわち「０」は「１」に変更され、「１」は「０」に変更される）、もしくは、暗号化される（ブロック９７６）。他の実施形態では、ＣＲＣ生成スキーム９７０は、８より小さいその他の適したビット数（例えば、７ビット、６ビット、５ビット等）であるＣＲＣを生成する。例えば、いくつかの実施形態では、ＩＥＥＥ８０２．１１ａｃ標準でＶＨＴ−ＳＩＧＡフィールドに対して規定された多項式を用い、生成されたＣＲＣの５最上位ビット（ＭＳＢ）、生成されたＣＲＣの５最下位ビット（ＬＳＢ）又は生成されたＣＲＣの他の５ビットのサブセットを選択し、得られた５ビットのＣＲＣの１つ又は複数ビットを暗号化（例えばフリッピング）することで、５ビットのＣＲＣが生成される。より小さいＣＲＣビット（例えば８より小さい）が利用されるいくつかの実施形態では、ＵＨＴ−ＳＩＧＡフィールドの残りのビット位置（例えば、図８ＤのＣＲＣサブフィールド８１０−８のＭＳＢ又はＬＳＢの他方）はリザーブとされ、及び／又は、第１通信プロトコルに関連した信号追加情報に対して利用される。
【００８１】
図９Ａから９Ｃでは、いくつかの実施形態におけるＵＨＴ−ＳＩＧＡフィールド７０８に対して利用されるいくつかの例示ＣＲＣ生成スキームを示したが、一般的に、ＩＥＥＥ８０２．１１ａｃ標準によってＶＨＴ−ＳＩＧＡフィールドに対して規定されたＣＲＣ生成スキームとは異なるあらゆるＣＲＣ生成スキームが利用されえ、その他の実施形態では、ＵＨＴ−ＳＩＧＡフィールド７０８に対するＣＲＣを生成するために、その他の適したＣＲＣ生成が利用される。
【００８２】
単に例として、いくつかの実施形態では、ＩＥＥＥ８０２．１１ａｃ標準でＶＨＴ−ＳＩＧＡフィールドに対して規定された８ビットのＣＲＣより少ない数のビットを有するＣＲＣが、ＩＥＥＥ ８０２−１１ａｃ標準によって規定された多項式とは異なる多項式を用いて、ＵＨＴ−ＳＩＧＡフィールドに対して生成される。例えば、いくつかの実施形態では、生成されたＣＲＣが、ＩＥＥＥ８０２．１１ａｃ標準に準拠して生成されたＶＨＴ−ＳＩＧＡ ＣＲＣの対応するビットに少なくとも実質相関しないように規定されたｘビットの多項式を用いて、ｘビットのＣＲＣが生成される。ここで、ｘは、１から７までの整数である。いくつかの実施形態では、ＩＥＥＥ８０２．１１ａｃ標準によって規定されたＶＨＴ−ＳＩＧＡフィールドのＣＲＣサブフィールドのビット位置に対応するＵＨＴ−ＳＩＧＡフィールドの残りのビット位置（例えば、図８ＤのＣＲＣサブフィールド９１０−８のＭＳＢ又はＬＳＢの他方）はリザーブとされ、又は、第１通信プロトコルに関連した信号追加情報に対して利用される。
【００８３】
ある実施形態では、第１通信プロトコルに準拠するＵＨＴ−ＳＩＧＡフィールドに対するものと、ＩＥＥＥ８０２−１１ａｃ標準で規定されたＶＨＴ−ＳＩＧＡフィールドに対するものとでのＣＲＣ生成における差異によって、ＩＥＥＥ８０２−１１ａｃ標準に準拠して動作するように構成されたレガシークライアント局は、データユニット７００をデコードするときにＣＲＣエラーを検出することができ、このためデータユニット７００をドロップすることができる。さらに、第１通信プロトコルに準拠するＵＨＴ−ＳＩＧＡフィールドに対するものと、ＩＥＥＥ８０２−１１ａｃ標準で規定されたＶＨＴ−ＳＩＧＡフィールドに対するものとでのＣＲＣ生成における差異によって、第１通信プロトコルに準拠して動作するように構成されたクライアント局は、データユニットを受信したときに、データユニットが第１通信プロトコル又はＩＥＥＥ８０２−１１ａｃ標準に準拠するかどうかを検出することができる。
【００８４】
図１０は、ある実施形態における、データユニットが第１通信プロトコル又はレガシー通信プロトコル（例えば、ＩＥＥＥ ８０２．１１ａｃ標準）に準拠するかどうかを判断するために、第１通信プロトコルに準拠して動作するように構成されたクライアント局（例えば、クライアント局２５−１）によって用いられる検出スキーム１０００を示すブロック図である。検出スキーム１０００は、第１通信プロトコルに準拠するデータユニットのＵＨＴ−ＳＩＧＡフィールドが、レガシー通信プロトコルによって対応するフィールドに対して規定されたＣＲＣと同じビット数（例えば８ビット）を有するＣＲＣを含む実施形態への使用に適している。検出スキーム１１００によれば、データユニットを受信するクライアント局は、データユニットのＳＩＧＡフィールドをデコードする。ある実施形態では、信号フィールドをデコードした後で、クライアント局は、デコードされたＳＩＧＡフィールドからＣＲＣビット及びＢＣＣテールビットを除外して、データユニットのＳＩＧＡフィールドに対してどのＣＲＣを生成すべきかに基づいて、ビットセットを生成する。次に、ビットセットに基づいて、且つ、第１通信プロトコルに規定されたＣＲＣ生成スキームを用いることによって、ＳＩＧＡフィールドに対する第１ＣＲＣが生成される（ブロック１００２）。ビットセットに基づいて、且つ、レガシー通信プロトコル（例えば、ＩＥＥＥ８０２−１１ａｃ標準）に規定されたＣＲＣ生成スキームを用いることによって、ＳＩＧＡフィールドに対する第２ＣＲＣが生成される（ブロック１００４）。生成された第１ＣＲＣ及び生成された第２ＣＲＣはそれぞれ、データユニットのＳＩＧＡフィールドにおいて受信した受信ＣＲＣと比較される（ブロック１００６）。ある実施形態では、受信ＣＲＣと生成された第１ＣＲＣとが合致していることが検出された場合には、データユニットは第１通信プロトコルに準拠していると判断される。他方で、ある実施形態では、受信ＣＲＣと生成された第２ＣＲＣとが合致していることが検出された場合には、データユニットはレガシー通信プロトコル（例えばＩＥＥＥ−８０２．１１ａｃ標準）に準拠していると判断される。
【００８５】
図１１は、他の実施形態における、データユニットが第１通信プロトコル又はレガシー通信プロトコルに準拠するかどうかを検出するために、第１通信プロトコルに準拠して動作するように構成されたクライアント局（例えば、クライアント局２５−１）によって用いられる検出スキーム１１００を示すブロック図である。ある実施形態では、検出スキーム１１００は、第１通信プロトコルに準拠するデータユニットのＵＨＴ−ＳＩＧＡフィールドが、レガシー通信プロトコルによって対応するフィールドに対して規定されたＣＲＣビット数より少ないビット（例えば４ビット）を含む実施形態への使用に適している。検出スキーム１１００によれば、クライアント局は、データユニットを受信したときに、データユニットのＳＩＧＡフィールドをデコードする。次に、クライアント局は、デコードされたＳＩＧＡフィールドからＣＲＣビット及びＢＣＣテールビットを除外して、ＳＩＧＡフィールドに対してどのＣＲＣを生成すべきかに基づいて、ビットセットを生成する。次に、ビットセットに基づいて、且つ、第１通信プロトコルに規定されたＣＲＣ生成スキームを用いて、受信ＳＩＧＡフィールドに対する第１ＣＲＣが生成される（ブロック１１０２）。図１１の実施形態では、レガシー通信プロトコルによって対応するフィールドに対して規定されたＣＲＣ多項式を用い、第１ＣＲＣに対して利用される生成されたＣＲＣのサブセットビット（例えば、ＣＲＣビットの４ＬＳＢ、４ＭＳＢ、その他の適したサブセット等）を選択し、第１ＣＲＣを生成するために選択されたセブセットにおける１つ又は複数のビットを暗号化することによって、フィールド通信プロトコルに準拠するＣＲＣが生成される。ビットセットに基づいて、ＩＥＥＥ８０２−１１ａｃ標準に規定されたＣＲＣ生成スキームに準拠して、且つ、生成されたＣＲＣの４ＬＳＢ又は４ＭＳＢを第２ＣＲＣとして用いることによって、ＳＩＧＡフィールドに対する第２ＣＲＣが生成される（ブロック１１０４）。生成された第１ＣＲＣ及び第２ＣＲＣは、データユニットのＳＩＧＡフィールドにおいて受信されたＣＲＣの対応するビットと比較される（ブロック１１０６）。ある実施形態では、受信ＣＲＣと生成された第１ＣＲＣとが合致していることが検出された場合には、データユニットは第１通信プロトコルに準拠していると判断される。他方で、ある実施形態では、受信ＣＲＣと生成された第２ＣＲＣとが合致していることが検出された場合には、データユニットはレガシー通信プロトコル（例えばＩＥＥＥ−８０２．１１ａｃ標準）に準拠していると判断される。
【００８６】
いくつかの実施形態では、意図的に、レガシー局にＵＨＴ−ＳＩＧＡフィールド７０８からエラーを検出させるためにＣＲＣを用いることに加えて、又はその代わりに、意図的にレガシー局にＵＨＴ−ＳＩＧＡフィールド７０８からエラーを検出させるために、レガシー通信プロトコルに準拠して動作するように構成されたレガシークライアント局によってサポートされていないモードであることを示すように、ＵＨＴ−ＳＩＧＡフィールド７０８の１つ又は複数のサブフィールドは設定される。例えば、ある実施形態では、意図的に、レガシークライアント局に、ＵＨＴ−ＳＩＧＡフィールド７０８をデコードするときにエラーを検出させるために、ＩＥＥＥ８０２．１１ａｃ標準に準拠して動作するレガシークライアント局によってサポートされていない変調及び符号化スキームの指標をＵＨＴ−ＳＩＧＡフィールド７０８は含む。他の例として、いくつかの実施形態では、ＵＨＴ−ＳＩＧＡフィールド７０８は、ＩＥＥＥ８０２．１１ａｃ標準に準拠してサポートされていない又は「許可できない」サブフィールドの組み合わせを含む。例えば、ある実施形態では、シングルユーザデータユニットに対しては、ＵＨＴ−ＳＩＧＡフィールド７０８のＧｒｏｕｐ ＩＤサブフィールドは、０又は６３の値に設定され、ＳＵ ＭＣＳフィールド９０２−５ｂは、９より大きいＭＣＳを示すように設定される。他の例としては、別の実施形態では、ＳＴＢＣサブフィールド９０２−３及びＳＵ ＮＳＴＳサブフィールド９０２−５は両方とも、論理値壱（１）に設定される。さらなる他の例として、さらなる別の実施形態では、マルチユーザデータユニットに対して、ＳＴＢＣサブフィールド９０２−３、及びＮｓｔｓサブフィールド９０２−５ｃから９０２−５ｆそれぞれは、論理値壱（１）に設定される。他の実施形態では、意図的に、ＵＨＴ−ＳＩＧフィールド７０８がレガシークライアント局によってデコードされたときにエラーを起こすために、ＩＥＥＥ８０２．１１ａｃ標準に許可できないその他のＳＩＧＡサブフィールドの組み合わせが、ＵＨＴ−ＳＩＧＡフィールド７０８に利用される。さらに、幾つかの実施形態では、データユニット７００のＵＨＴ−ＳＩＧＡフィールド７０８に含まれるそのような許可できない組み合わせは、第１通信プロトコルに準拠するクライアント局に、データユニット７００が第１通信プロトコルに準拠していることを示す。
【００８７】
いくつかの実施形態において、第１通信プロトコルに準拠して動作するように構成されたクライアント局に、データユニット７００が第１通信プロトコルに準拠していることを示すために、１つ又は複数の追加指標が、データユニット７００のＵＨＴ−ＳＩＧＡフィールド７０８に含まれる。例えば、ＩＥＥＥ８０２．１１ａｃ標準に準拠して生成されたＶＨＴ−ＳＩＧＡフィールドにおけるリザーブサブフィールドに対応するサブフィールドは、第１通信プロトコルに準拠して動作するように構成されたクライアント局に、データユニット７００が第１通信プロトコルに準拠していることを示すために、ＵＨＴ−ＳＩＧＡフィールド７０８において論理値零（０）に設定される。本実施形態では、ある実施形態によれば、第１通信プロトコルに準拠して動作するクライアント局は、データユニットを受信したときに、ＵＨＴ−ＳＩＧＡフィールドのリザーブビットが論理値零（０）に設定されている場合に、データユニットが第１通信プロトコルに準拠していると判断し、リザーブビットが論理値壱（１）に設定されている場合に、データユニットがＩＥＥＥ８０２−１１ａｃ標準に準拠していると判断する。
【００８８】
いくつかの実施形態では、レガシーデバイスにおいてエラーを意図的に起こすためには使用されないＵＨＴ−ＳＩＧＡフィールド（例えばＵＨＴ−ＳＩＧＡフィールド７０８）の少なくともある部分（例えばサブフィールド）は、ＩＥＥＥ ８０２．１１ａｃ標準によって規定されたＶＨＴ−ＳＩＧＡフィールドの対応する部分（例えばサブフィールド）と同じように形式化されない。例えば、いくつかの実施形態では、そのような部分は、第１通信プロトコルに関連した追加情報を含むように変更される。例えば、ＩＥＥＥ８０２．１１ａｃ標準によって規定されたＶＨＴ−ＳＩＧＡフィールドは、データユニットのＢＷを示すための２ビットを含む一方で、第１通信プロトコルに準拠するデータユニットは、ＩＥＥＥ ８０２．１１ａｃ標準によって規定された最大帯域幅よりも広い帯域幅を占有する。よって、いくつかの実施形態では、１つ又は複数の追加ビットが、第１通信プロトコルに準拠するデータユニットに対する帯域幅を示すために必要となる。例えば、一実施形態では、ＵＨＴ−ＳＩＧＡフィールドは、３ビットの帯域幅指標を含む。さらに、或いは、その代わりとして、いくつかの実施形態では、追加信号フィールドビットが、ＩＥＥＥ８０２．１１ａｃ標準に存在しない新たな物理層（ＰＨＹ）特性を示すために、ＵＨＴ−ＳＩＧＡフィールドに対して利用される。
【００８９】
いくつかの実施形態では、ＩＥＥＥ８０２．１１ａｃ標準に準拠してリザーブされたＶＨＴ−ＳＩＧＡサブフィールドは、第１通信プロトコルに準拠するより広い帯域幅及び／又は追加ＰＨＹ特性を示すために、ＵＨＴ−ＳＩＧＡフィールドにおいて利用される。さらに、或いは、その代わりとして、ＩＥＥＥ８０２．１１ａｃ標準でＶＨＴ−ＳＩＧＡに対して規定された８ビットのＣＲＣより短いものをＵＨＴ−ＳＩＧＡが利用するいくつかの実施形態では、ＶＨＴ−ＳＩＧＡフィールドの残りのＣＲＣビットに対応したビットが、第１通信プロトコルに準拠するより広い帯域幅及び／又は追加ＰＨＹ特性を示すために、ＵＨＴ−ＳＩＧＡフィールドにおいて利用される。
【００９０】
ＵＨＴ−ＳＩＧＡフィールド７０８が、データユニット７００が第１通信プロトコルに準拠していることを示すための明示指標を含むいくつかの実施形態では、レガシークライアント局においてエラーを意図的に起こすように設計されたスキームは、ＵＨＴ−ＳＩＧＡフィールド７０８に対して利用されない。例えば、ある実施形態では、ＵＨＴ−ＳＩＧＡフィールド７０８に対するＣＲＣは、ＩＥＥＥ−８０２．１１ａｃ標準に規定され、ＩＥＥＥ−８０２．１１ａｃ標準に規定されたものと同じビット数を有するＶＨＴ−ＳＩＧＡ ＣＲＣ多項式を用いて生成される。さらに、本実施形態では、ＩＥＥＥ８０２．１１ａｃ標準に準拠して生成されたＶＨＴ−ＳＩＧＡフィールドにおけるリザーブサブフィールドに対応したサブフィールドは、第１通信プロトコルに準拠して動作するように構成されたクライアント局に、データユニット７００が第１通信プロトコルに準拠していることを示すために、ＵＨＴ−ＳＩＧＡフィールド７０８において論理値零（０）に設定される。この場合に、第１通信プロトコルに準拠して動作するように構成されたクライアント局は、ＵＨＴ−ＳＩＧＡフィールド７０８に含まれた指標に基づいて、データユニット７００が第１通信プロトコルに準拠していることを判断してもよい。しかしながら、この場合に、データユニット７００を受信するレガシークライアント局は、必ずしも、ＵＨＴ−ＳＩＧＡフィールド７０８からエラーを検出する必要はなく、データユニット７００をドロップする必要もない。いくつかの状況では、そのような実施形態において、レガシークライアント局は、ＵＨＴ−ＳＩＧＡフィールド７０８からエラーが意図的に起こることを検出さえせずとも、データユニット７００をドロップしてもよい。例えば、レガシークライアント局は、ＵＨＴ−ＳＩＧＡフィールド７０８に含まれる部分アドレス識別子（ＰＡＩＤ）及び／又はグループＩＤ（ＧＩＤ）が、クライアント局の対応するパラメータと合致しないことを判断して、当判断に基づいてデータユニット７００をドロップ（デコードを停止）してもよい。しかしながら、他の実施形態では、ＵＨＴ−ＳＩＧＡフィールド７０８に含まれる部分アドレス識別子（ＰＡＩＤ）及び／又はグループＩＤ（ＧＩＤ）が、クライアント局の対応するパラメータと合致しないことをクライアント局が判断したときでさえ、レガシークライアント局は、データユニット７００をドロップしなくてもよい。この場合、少なくともいくつかの状況では、クライアント局は、データユニット７００の継続期間、データユニット７００のデコードを続けてもよく、データユニット７００の終わりにおける不良ＦＣＳ検出に基づいてデータユニット７００を遺棄してもよい。
【００９１】
他の実施形態では、ＵＨＴ−ＳＩＧＡフィールド７０８に対するＣＲＣは、ＩＥＥＥ−８０２．１１ａｃ標準に規定されているが、ＩＥＥＥ−８０２．１１ａｃ標準に規定されたものより少ないビットを有するＶＨＴ−ＳＩＧＡ ＣＲＣ多項式を用いて生成される。例えば、ＣＲＣは、ＶＨＴ−ＳＩＧＡ ＣＲＣ多項式を用いて生成され、ｘ個の生成されたＣＲＣが、ＵＨＴ−ＳＩＧＡフィールド７０８に対するＣＲＣとして用いられる。例えば、いくつかの実施形態では、ＶＨＴ−ＳＩＧＡ ＣＲＣ多項式を用いて生成されたＣＲＣの４（又は他の適した数、例えば５又は６）ＭＳＢ又はＬＳＢが利用される。いくつかのそのような実施形態では、ＣＲＣサブフィールドの残りのビット位置はリザーブされ、又は、第１通信プロトコルに関連した追加情報を示すために利用される。そのような実施形態では、レガシークライアントデバイスにおいてＵＨＴ−ＳＩＧＡフィールドからエラーを起こすようにＣＲＣは意図的に設計されていないが、そのようなエラーが検出される可能性は高く、そのような場合にクライアント局はデータユニット７００をドロップしてもよい。さらに、そのような実施形態では、第１通信プロトコルに準拠して動作するように構成されたクライアント局は、ＩＥＥＥ８０２．１１ａｃ標準でＶＨＴ−ＳＩＧＡフィールドに対して規定されたＣＲＣ多項式を用いてＵＨＴ−ＳＩＧＡフィールド７０８の受信ビットに基づいてＣＲＣを生成して、生成されたＣＲＣの４（又は他の適した数である、例えば５又は６等）ＭＳＢ又はＬＳＢとＵＨＴ−ＳＩＧＡフィールドにおいて受信したＣＲＣとを比較することによって、ＵＨＴ−ＳＩＧＡフィールド７０８に対してＣＲＣチェックを行ってもよい。ＣＲＣチェックに合格すると、クライアント局は、受信したＵＨＴ−ＳＩＧＡフィールドをデコードしてもよく、ＵＨＴ−ＳＩＧＡフィールドに含まれる指標に基づいて、データユニット７００が第１通信プロトコルに準拠していることを判断してもよい。
【００９２】
図１２に、ある実施形態における、ＯＦＤＭデータユニット１２００を示す。クライアント局ＡＰ１４は、直交波周波数ドメイン多重（ＯＦＤＭ）変調を用いて、クライアント局２５−１にＯＦＤＭデータユニット１２００を送信するように構成される。ある実施形態において、クライアント局２５−１はまた、ＡＰ１４にデータユニット１２００を送信するように構成される。データユニット１２００は、第１通信プロトコルに準拠し、２０ＭＨｚ帯域幅を占有する。他の実施形態では、データユニット１２００と同様なデータユニットは、例えば４０ＭＨｚ、８０ＭＨｚ、１６０ＭＨｚ、３２０ＭＨｚ、６４０ＭＨｚ、その他の適した帯域幅等の、その他の適した帯域幅を占有する。データユニット１２００は、「混合モード」状況、すなわち、レガシー通信プロトコルに準拠するが、第１通信プロトコルには準拠しないクライアント局（例えばレガシークライアント局２４−４）をＷＬＡＮ１０が含む場合に適している。いくつかの実施形態では、データユニット１２００はその他の状況でも利用される。
【００９３】
データユニット７００に含まれるシングルＵＨＴ−ＳＩＧフィールド７１４と比べて、データユニット１２００は２つのＵＨＴ−ＳＩＧＢフィールド１２０４を含む点を除いて、データユニット１２００は、図７Ａのデータユニット７００と同様である。さらに、いくつかの実施形態では、ＵＨＴ−ＳＩＧＡフィールド１２０２は、データユニット７００のＵＨＴ−ＳＩＧＡフィールド７０８とは異なっている。例えば、ある実施形態では、ＵＨＴ−ＳＩＧＡフィールド７０８の１つ又は複数の情報ビットは、ＵＨＴ−ＳＩＧＡフィールド１２０２からＵＨＴ−ＳＩＧＢフィールド１２０４に移動される。例えば、幾つかの実施形態では、ＵＨＴ−ＬＴＦ７１２の適切な処理を判断するのに必要とされない１つ又は複数の情報ビットは、ＵＨＴ−ＳＩＧＢフィールド１２０４に移動される。少なくともいくつかの実施形態では、レガシークライアント局にＵＨＴ−ＳＩＧＡからエラーを意図的に検出させること、及び／又は、第１通信プロトコルに準拠して動作するように構成されたクライアント局に、データユニット７００が第１通信プロトコルに準拠していることを示すために用いられるさまざまなＵＨＴ−ＳＩＧＡ生成スキームは、ＵＨＴ−ＳＩＧＡフィールド１２０２に適用される。
【００９４】
図１３Ａに、ある実施形態における、ＯＦＤＭデータユニット１３００を示す。クライアント局ＡＰ１４は、直交波周波数ドメイン多重（ＯＦＤＭ）変調を用いて、クライアント局２５−１にＯＦＤＭデータユニット１３００を送信するように構成される。ある実施形態において、クライアント局２５−１はまた、ＡＰ１４にデータユニット１３００を送信するように構成される。データユニット１３００は、第１通信プロトコルに準拠し、２０ＭＨｚ帯域幅を占有する。他の実施形態では、データユニット１３００と同様なデータユニットは、例えば４０ＭＨｚ、８０ＭＨｚ、１６０ＭＨｚ、３２０ＭＨｚ、６４０ＭＨｚ、その他の適した帯域幅等の、その他の適した帯域幅を占有する。データユニット１３００は、「混合モード」状況、すなわち、レガシー通信プロトコルに準拠するが、第１通信プロトコルには準拠しないクライアント局（例えばレガシークライアント局２４−４）をＷＬＡＮ１０が含む場合に適している。いくつかの実施形態では、データユニット１３００はその他の状況でも利用される。
【００９５】
データユニット７００に含まれる２つのＵＨＴ−ＳＩＧＡフィールド７０８と比べて、データユニット１３００は３つのＵＨＴ−ＳＩＧＡフィールド１３０２を含む点を除いて、データユニット１３００は、図７Ａのデータユニット７００と同様である。いくつかの実施形態では、データユニット１３００と同様なデータユニットは、その他の適した数（例えば４、５、６等）のＵＨＴ−ＳＩＧＡフィールド１３０２を含む。ある実施形態では、ＵＨＴ−ＳＩＧＡフィールド１３０２のそれぞれは、データユニット１３００の１つのＯＦＤＭシンボルを備える。データユニット７００の２つのＵＨＴ−ＳＩＧＡフィールド７０８と比べて、追加ＵＨＴ−ＳＩＧＡフィールド１３２０は、例えば、第１通信プロトコルに規定されたより広い帯域幅を示すために、又は、第１通信プロトコルに含まれる追加ＰＨＹ特性を示すために、第１通信プロトコルに関連した追加情報を搬送することに利用される。いくつかの実施形態では、ＵＨＴ−ＳＩＧＢフィールド１３０８は、データユニット１３００から省かれ、いくつかのそのような実施形態では、ＵＨＴ−ＳＩＧＢフィールド１３０８に含まれる情報の少なくともいくつか（例えば、ＭＵ情報）は、ＵＨＴ−ＳＩＧＡフィールド１３０２に移動される。
【００９６】
図１３Ｂは、ある実施形態における、図１３Ａのデータユニット１３００のＬ−ＳＩＧ７０６、ＵＨＴ−ＳＩＧＡ１ １３０２−１、ＵＨＴ−ＳＩＧＡ２ １３０２−２、及びＵＨＴ−ＳＩＧＡ３ １３０２−３の変調を示す一連の図である。本実施形態において、Ｌ−ＳＩＧ７０６、ＵＨＴ−ＳＩＧＡ１ １３０２−１及びＵＨＴ−ＳＩＧＡ２ １３０２−２フィールドは、ＢＰＳＫ変調に準拠して変調され、ＩＥＥＥ８０２．１１ａ標準及び／又はＩＥＥＥ８０２．１１ｎ標準に対して動作するように構成されたレガシークライアント局に、データユニット１３００がＩＥＥＥ ８０２．１１ａ標準に準拠していることを示す。よって、少なくともいくつかの実施形態及び／又はシナリオでは、ＩＥＥＥ８０２．１１ａ標準、ＩＥＥＥ８０２．１１ｎ標準及び／又はＩＥＥＥ８０２．１１ａｃに対して動作するように構成されたレガシークライアント局は、そのようなデバイスがＩＥＥＥ ８０２．１１ａパケットを処理するであろう同じ方法で、データユニット１３００を処理してもよい。例えば、ある実施形態では、レガシークライアント局は、Ｌ−ＳＩＧフィールド７０６に基づいて、データユニット１３００のパケット継続期間を算出してもよく、クリアチャネルアセスメント（ＣＣＡ）を実行する前に、算出されたパケット継続期間の終了まで待機してもよい。さらに、ある実施形態では、第１通信プロトコルに準拠して動作するように構成されたクライアント局は、ＵＨＴ−ＳＩＧＡ３フィールド１３０２−３の変調（例えば、Ｑ−ＢＰＳＫ）を検出してもよく、検出された変調に基づいて、データユニット１３００が第１通信プロトコルに準拠していることを判断してもよい。
【００９７】
図１４Ａに、ある実施形態における、ＯＦＤＭデータユニット１４００を示す。クライアント局ＡＰ１４は、直交波周波数ドメイン多重（ＯＦＤＭ）変調を用いて、クライアント局２５−１にＯＦＤＭデータユニット１４００を送信するように構成される。ある実施形態において、クライアント局２５−１はまた、ＡＰ１４にデータユニット１４００を送信するように構成される。データユニット１４００は、第１通信プロトコルに準拠し、２０ＭＨｚ帯域幅を占有する。他の実施形態では、データユニット１４００と同様なデータユニットは、例えば４０ＭＨｚ、８０ＭＨｚ、１６０ＭＨｚ、３２０ＭＨｚ、６４０ＭＨｚ、その他の適した帯域幅等の、その他の適した帯域幅を占有する。いくつかの実施形態では、データユニット１４００は、ＩＥＥＥ−８０２．１１ａ標準に対して動作するが、ＩＥＥＥ８０２−１１ｎ標準に対して動作しないように構成されたクライアント局をＷＬＡＮ１０が含まない状況に適している。
【００９８】
データユニット１４００は、超高スループットショートトレーニングフィールド（ＵＨＴ−ＳＴＦ）１４０２、第１超高スループットロングトレーニングフィールド（ＵＨＴ−ＬＴＦ）１４０４、第１高スループット信号フィールド（ＨＴ−ＳＩＧ１）１４０６−１及び第２高スループット信号フィールド（ＨＴ−ＳＩＧ２）１４０６−２を含む２つのレガシー高スループット信号フィールド（ＨＴ−ＳＩＧ）１４０６、第１超高スループット信号フィールド（ＵＨＴ−ＳＩＧ１）１４０８−１及び第２超高スループット信号フィールド（ＵＨＴ−ＳＩＧ２）１４０８−２を含む２つの超高スループット信号フィールド（ＵＨＴ−ＳＩＧ）１４０８、Ｍ個の超高スループットロングトレーニングフィールド（ＵＨＴ−ＬＴＦ）１４１０、並びに、第３超高スループット信号フィールド（ＵＨＴ−ＳＩＧＢ）７１４を有するプリアンブルを含む。ここで、Ｍは整数である。ある実施形態において、ＵＨＴ−ＳＩＧＡ１４０８は、２つのＯＦＤＭシンボルを備え、そこでは、ＵＨＴ−ＳＩＧＡ１ １４０８−１フィールドは、第１ＯＦＤＭシンボルを備え、ＵＨＴ−ＳＩＧＡ２ １４０８−２は、第２ＯＦＤＭシンボルを備える。少なくともいくつかの例示実施形態では、ＵＨＴ−ＳＩＧＡ１４０８は、シングル極高スループット信号フィールド（ＵＨＴ−ＳＩＧＡ）１４０８として集合的に称される。いくつかの実施形態では、データユニット１４００はまた、データ部１４１４を含む。他の実施形態では、データユニット１４００は、データ部１４１４を省略する。
【００９９】
図１４Ａの実施形態では、データユニット１４００は、ＵＨＴ−ＳＴＦ１４０２、ＵＨＴ−ＬＴＦ１ １４０３、ＨＴ−ＳＩＧ１４０６及びＵＨＴ−ＳＩＧＡ１４０８のそれぞれの１つを含む。データユニット１４００と同様なＯＦＤＭデータユニットが、２０ＭＨｚ以外の累積帯域幅を占有するその他の実施形態において、ある実施形態では、ＵＨＴ−ＳＴＦ１４０２、ＵＨＴ−ＬＴＦ１ １４０３、ＨＴ−ＳＩＧ１４０６及びＵＨＴ−ＳＩＧＡ１４０８のそれぞれは、データユニットの全帯域幅のうちの対応する数の２０ＭＨｚサブバンドにわたって繰り返される。例えば、ある実施形態では、ＯＦＤＭデータユニットは、８０ＭＨｚ帯域幅を占有し、従って、ＯＦＤＭデータユニットは、ＵＨＴ−ＳＴＦ１４０２、ＵＨＴ−ＬＴＦ１ １４０３、ＨＴ−ＳＩＧ１４０６及びＵＨＴ−ＳＩＧＡ１４０８を４つずつ含む。いくつかの実施形態では、異なる２０ＭＨｚサブバンド信号の変調は、異なる角度で回転される。例えば、一実施形態においては、第１サブバンドは０度回転され、第２サブバンドは９０度回転され、第３サブバンドは１８０度回転され、第４サブバンドは、２７０度回転される。その他の実施形態では、異なる適した回転が利用される。少なくともいくつかの実施形態では、２０ＭＨｚサブバンド信号の異なる位相により、データユニット７００内のＯＦＤＭシンボルのピーク対平均電力比（ＰＡＰＲ）が低減される。
【０１００】
ある実施形態では、第１通信プロトコルに準拠するデータユニットが、２０ＭＨｚ、４０ＭＨｚ、８０ＭＨｚ、１６０ＭＨｚ、３２０ＭＨｚ、６４０ＭＨｚ等の累積帯域幅を占有するＯＦＤＭデータユニットである場合に、ＵＨＴ−ＬＴＦ１４１０、ＵＨＴ−ＳＩＧＢ１４１２及びＵＨＴデータ部１４１４は、データユニットの対応する全帯域幅を占有する。さらに、ある実施形態では、ＵＨＴ−ＳＴＦ１４０２、ＵＨＴ−ＬＴＦ１ １４０３、 ＨＴ−ＳＩＧ１４０６及びＵＨＴ−ＳＩＧＡ１４０８のそれぞれは、マルチ空間ストリームに対するデータユニット１４００のマルチストリーム部（例えば、ＵＨＴ−ＬＴＦ１４１０、ＵＨＴ−ＳＩＧＢ１４１２及びＵＨＴデータ部１４１４）をマッピングするために用いられる空間ストリームマッピング行列（「Ｐ行列」）の列（例えば第１列）又は行（例えば第１行）を用いて、データユニット１４００のマルチ空間ストリームに対してマッピングされたシングルストリームフィールドである。
【０１０１】
いくつかの実施形態では、データユニット１３００と同様なデータユニットは、その他の適した数（例えば、４、５、６等）のＵＨＴ−ＳＩＧＡフィールド１４０８を含む。ある実施形態では、ＵＨＴ−ＳＩＧＡフィールド１４０８のそれぞれは、１つのＯＦＤＭシンボルを備える。いくつかの実施形態では、追加ＵＨＴ−ＳＩＧＡフィールド１４０８は、例えば、第１通信プロトコルに規定されたより広い帯域幅を示すために、又は、第１通信プロトコルに含まれる追加ＰＨＹ特性を示すために、第１通信プロトコルに関連した追加情報を搬送することに利用される。さらに、ＵＨＴ−ＳＩＧＢフィールド１４１２は、データユニット１４００から省かれ、いくつかのそのような実施形態では、ＵＨＴ−ＳＩＧＢフィールド１４１２に含まれる情報の少なくともいくつか（例えば、ＭＵ情報）は、ＵＨＴ−ＳＩＧＡフィールド１４０６に移動される。
【０１０２】
図１４Ｂは、ある実施形態における、図１４Ａのデータユニット１４００のＨＴ−ＳＩＧ１ １４０６−１、ＵＨＴ−ＳＩＧＡ２ １４０６−２、ＵＨＴ−ＳＩＧＡ１ １４０８−１及びＵＨＴ−ＳＩＧＡ２ １４０８−２の変調を示す一連の図である。図示した実施形態では、ＨＴ−ＳＩＧ１ １４０６−１、ＵＨＴ−ＳＩＧＡ２ １４０６−２及びＵＨＴ−ＳＩＧＡ１ １４０８−１は、Ｑ−ＢＰＳＫ変調を用いて変調される。ある実施形態において、ＩＥＥＥ８０２．１１ｎ標準及び／又はＩＥＥＥ８０２．１ａｃ標準に対して動作するように構成されたレガシークライアント局は、ＨＴ−ＳＩＧ１ １４０６−１、ＵＨＴ−ＳＩＧＡ２ １４０６−２及びＵＨＴ−ＳＩＧＡ１ １４０８−１のＱ−ＢＰＳＫ変調を検出し、検出した変調に基づいて、レガシークライアント局がＩＥＥＥ ８０２．１１ｎグリーンフィールドパケットを処理するであろうとおりデータユニット１４００を処理してもよい。そのような実施形態では、レガシークライアント局は、データユニット１４００のＨＴ−ＳＩＧフィールド１４０６に示されたレート及び長さ（例えばバイト数）に基づいて継続期間を算出してもよい。ある実施形態では、ＨＴ−ＳＩＧフィールド１４０６におけるレート及び長さは、レガシー通信プロトコルに準拠して動作するように構成されたクライアント局が、レート及び長さに基づいて、データユニット１４００の実際の継続期間に対応する、又は、少なくとも近似するパケット継続期間を算出しうるように設定される。例えば、レートは、ＩＥＥＥ８０２．１１ｎ標準によって規定された最低レート（すわなち６Ｍｂｐｓ）を示すように設定され、長さは、最低レートを用いて算出されたパケット継続期間が、データユニット１４００の実際の継続期間を少なくとも近似するように算出された値に設定される。ある実施形態では、レガシークライアント局は、データユニット１４００を受信してときに、データユニット１４００に対するパケット継続期間を算出してもよく、クリアチャネルアセスメント（ＣＣＡ）を実行する前に、算出されたパケット継続期間の終了まで待機してもよい。さらに、ある実施形態によれば、第１通信プロトコルに準拠して動作するように構成されたクライアント局は、データユニット１４００のＵＨＴ−ＳＩＧＡ２フィールド１４０８−２の変調（例えばＱ−ＢＰＳＫ）を検出してもよく、データユニット１４００が第１通信プロトコルに準拠していることを判断してもよい。
【０１０３】
図１５は、ある実施形態における、データユニットを生成するための例示方法１５００を示すフロー図である。ある実施形態では、図１を参照して、方法１５００は、ネットワークインターフェイス１６によって実施される。例えば、そのような１つの実施形態では、ＰＨＹプロセッシングユニット２０は、方法１５００を実施するように構成される。他の実施形態によれば、ＭＡＣ処理１８はまた、方法１５００の少なくとも一部を実施するように構成される。引き続き図１を参照して、さらなる他の実施形態では、方法１５００は、ネットワークインターフェイス２７（例えば、ＰＨＹプロセッシングユニット２９及び／又はＭＡＣプロセッシングユニット２８）によって実施される。他の実施形態では、方法１５００は、その他の適したネットワークインターフェイスによって実施される。
【０１０４】
ブロック１５０２において、第１通信プロトコルに準拠するデータユニットのプリアンブルの第１フィールドが生成される。１つの実施形態では、図７Ａを参照して、データユニット７００のＬ−ＳＩＧフィールド７０６が生成される。他の実施形態では、その他の適した第１フィールドが生成される。第１フィールドは、データユニットの継続期間を示す１つ又は複数の情報ビットの第１セットを含む。第１フィールドに基づいてデータユニットの継続期間を判断するために、第１フィールドが、第２通信プロトコルに準拠するが第１通信プロトコルには準拠しない受信デバイスによってデコード可能であるように、第１フィールドは形式化される。ある実施形態では、情報ビットの第１セットは、例えば、データユニットのプリアンブルのレートサブフィールド及び長さサブフィールドに対応し、そこでは、レートサブフィールド及び長さサブフィールドは、第２通信プロトコルに準拠する受信デバイスに、少なくともデータユニットの近似継続期間を算出させるために生成される。他の実施形態では、情報ビットの第１セットは、第２通信プロトコルに準拠する受信デバイスに、データユニットの継続期間を判断させるために、その他の適した情報を示す。
【０１０５】
ある実施形態では、第１通信プロトコルは、ＵＨＴ通信プロトコルであり、第２通信プロトコルは、ＩＥＥＥ８０２．１１ａｃ標準等のレガシー通信プロトコルである。他の実施形態では、第１通信プロトコル及び／又は第２通信プロトコルは、まだ規定されていない通信プロトコルを含むその他の適した通信プロトコルである。例えば、いくつかの実施形態では、第２通信プロトコルは、ＵＨＴ通信プロトコルであり、第１通信プロトコルは、より高いスループットを規定する通信プロトコルである。
【０１０６】
ブロック１５０４において、プリアンブルの第２フィールドが生成される。一実施形態では、図７Ａを参照すると、データユニット７００のＵＨＴ−ＳＩＧＡフィールド７０８が生成される。他の実施形態では、その他の適した第２フィールドが生成される。第２フィールドは、第１通信プロトコルに準拠する受信デバイスに、データユニットが第１通信プロトコルに準拠することを示す１つ又は複数の情報ビットの第２セットを含む。ある実施形態では、１つ又は複数の情報の第２セットは、第２通信プロトコルによっては規定されていない、巡回冗長検査（ＣＲＣ）スキーム等のエラー検出スキームに準拠して生成される。例えば、いくつかの例示実施形態では、情報ビットの第２セットは、図９ＡのＣＲＣ生成スキーム９５０、図９ＢのＣＲＣ生成スキーム９６０、又は、図９ＣのＣＲＣ生成スキーム９７０に準拠して生成される。他の実施形態では、１つ又は複数の情報ビットの第２セットは、第２通信プロトコルによっては規定されていない、その他の適したエラー検出スキームに準拠して生成される。さらに、或いは、その代わりとして、１つ又は複数の情報ビットの第２セットは、ＧＩＤ及びＭＣＳの組み合わせ等、第２通信プロトコルによってサポートされていないモード、又は、第２通信プロトコルによってサポートされていないその他の適したモードを示すために生成される。
【０１０７】
ブロック１５０６において、ブロック１５０２において生成された第１フィールドが、第２通信プロトコルによって第１フィールドに対応するフィールドに対して規定された変調スキームに準拠して変調される。例えば、ある実施形態では、第１フィールドは、ＢＰＳＫ変調を用いて変調される。他の実施形態では、第１フィールドは、Ｑ−ＢＰＳＫ変調又はその他の適した変調等である、第２通信プロトコルによって第１フィールドに対応するフィールドに対して規定されたその他の適した変調スキームを用いて変調される。
【０１０８】
ブロック１５０８において、ブロック１５０２において生成された第２フィールドが、第２通信プロトコルによって第２フィールドに対応するフィールドに対して規定された変調スキームに準拠して変調される。例えば、一実施形態において、第２フィールドは、２つのＯＦＤＭシンボルを備え、そこでは、ブロック１５０８において、第１ＯＦＤＭシンボルは、Ｑ−ＢＰＳＫ変調を用いて変調され、第２ＯＦＤＭシンボルは、第２通信プロトコルによって規定されたＢＰＳＫ変調を用いて変調される。他の実施形態では、ブロック１５０８において、第２フィールドは、第２通信プロトコルによって第２フィールドに対応するフィールドに対して規定されその他の適した変調スキームを用いて変調される。
【０１０９】
ブロック１５１０において、データユニットのプリアンブルが、少なくとも第１フィールド及び第２フィールドを含むように生成される。ブロック１５１２において、データユニットは、ブロック１５１０において生成されたプリアンブルを少なくとも含むように生成される。いくつかの実施形態では、データユニットは、データ部をさらに含むように生成される。いくつかの実施形態では、データユニットが、データ部を含むように生成された場合、データ部は、データ部が第１通信プロトコルには準拠するが第２通信プロトコルには準拠しないように生成される。
【０１１０】
図１６は、ある実施形態における、例示方法１６００を示すフロー図である。ある実施形態では、図１を参照すると、方法１６００は、ネットワークインターフェイス１６によって実施される。例えば、１つのそのような実施形態では、ＰＨＹプロセッシングユニット２０は、方法１６００を実施するように構成される。他の実施形態によれば、ＭＡＣ処理１８はまた、方法１６００の少なくとも一部を実施するように構成される。引き続き図１を参照して、さらなる他の実施形態では、方法１６００は、ネットワークインターフェイス２７（例えば、ＰＨＹプロセッシングユニット２９及び／又はＭＡＣプロセッシングユニット２８）によって実施される。他の実施形態によれば、方法１６００は、その他の適したネットワークインターフェイスによって実施される。
【０１１１】
ブロック１６０２において、第１通信プロトコル又は第２通信プロトコルに準拠するデータユニットを受信する。ある実施形態では、データユニットは、通信チャネルを介して受信デバイスによって受信される。ある実施形態では、図７Ａのデータユニット７００が受信される。他の実施形態では、図５のデータユニット５００が受信される。他の実施形態では、その他の適したデータユニットが受信される。ある実施形態では、第１通信プロトコルは、ＵＨＴ通信プロトコルであり、第２通信プロトコルは、ＩＥＥＥ８０２．１１ａｃ標準等のレガシー通信プロトコルである。他の実施形態では、第１通信プロトコル及び／又は第２通信プロトコルは、まだ規定されていない通信プロトコルを含むその他の適した通信プロトコルである。例えば、いくつかの実施形態では、第２通信プロトコルは、ＵＨＴ通信プロトコルであり、第１通信プロトコルは、より高いスループットを規定する通信プロトコルである。
【０１１２】
ブロック１６０４において、ブロック１６０２において受信したデータユニットのプリアンブルのフィールドがデコードされる。図７Ａを参照すると、ある実施形態では、データユニット７００のＵＨＴ−ＳＩＧＡフィールド７０８がデコードされる。図５を参照すると、他の実施形態では、ＶＨＴ−ＳＩＧＡフィールド５０８がデコードされる。他の実施形態では、他の適した、ブロック１６０２で受信したデータユニットのプリアンブルのフィールドがデコードされる。ある実施形態では、ブロック１６０４でフィールドをデコードすることは、ブロック１６０４でデコードされたフィールドに含まれる受信したＣＲＣをデコードすることを含む。
【０１１３】
ブロック１６０６において、第１ＣＲＣが、ブロック１６０４でデコードされたフィールドに基づいて生成される。第１ＣＲＣは、第１通信プロトコルによってフィールドに対して規定された第１ＣＲＣ生成スキームを用いて生成される。例えば、いくつかの例示実施形態では、第１ＣＲＣは、図９ＡのＣＲＣ生成スキーム９５０、図９ＢのＣＲＣ生成スキーム９６０、又は、図９ＣのＣＲＣ生成スキーム９７０に準拠して生成される。他の実施形態では、第１ＣＲＣは、第１通信プロトコルによってフィールドに対して規定されたその他の適したＣＲＣ生成スキームに準拠して生成される。
【０１１４】
ブロック１６０８において、ブロック１６０４でデコードされたフィールドに基づいて、第２ＣＲＣが生成される。第２ＣＲＣは、第２通信プロトコルによってフィールドに対して規定された第２ＣＲＣ生成スキームを用いて生成される。例えば、一実施形態では、第２ＣＲＣは、ＩＥＥＥ８０２．１１ａｃ標準でＶＨＴ−ＳＩＧＡフィールドに対して規定されたＣＲＣ生成スキームに準拠して生成される。他の実施形態では、第２ＣＲＣは、第２通信プロトコルによってフィールドに対して規定されたその他の適したスキームに準拠して生成される。
【０１１５】
ブロック１６１０において、ブロック１６０６で生成された第１ＣＲＣ及びブロック１６０８で生成された第２ＣＲＣが、ブロック１６０４でデコードされた受信ＣＲＣと比較される。ブロック１６１２において、生成された第１ＣＲＣ又は第２ＣＲＣが、受信したＣＲＣと合致するかどうかが判断される。ブロック１６１２で、生成された第１ＣＲＣが受信ＣＲＣと合致していると判断された場合には、方法はブロック１６１４に進む。そこでは、ブロック１６０２で受信したデータユニットが第１通信プロトコルに準拠することが判断される。他方で、ブロック１６１２で、生成された第２ＣＲＣが受信ＣＲＣと合致していると判断された場合には、方法はブロック１６１６に進む。そこでは、ブロック１６０２で受信したデータユニットが第２通信プロトコルに準拠することが判断される。
【０１１６】
図１７は、ある実施形態における、第１通信プロトコルに準拠するデータユニットを生成するための例示方法１７００を示すフロー図であるある実施形態では、図１を参照すると、方法１７００は、ネットワークインターフェイス１６によって実施される。例えば、１つのそのような実施形態では、ＰＨＹプロセッシングユニット２０は、方法１７００を実施するように構成される。他の実施形態によれば、ＭＡＣ処理１８はまた、方法１７００の少なくとも一部を実施するように構成される。引き続き図１を参照して、さらなる他の実施形態では、方法１７００は、ネットワークインターフェイス２７（例えば、ＰＨＹプロセッシングユニット２９及び／又はＭＡＣプロセッシングユニット２８）によって実施される。他の実施形態では、方法１７００は、その他の適したネットワークインターフェイスによって実施される。
【０１１７】
ブロック１７０２において、データユニットのプリアンブルが生成される。ある実施形態では、図１３Ａのデータユニット１３００のプリアンブルが生成される。他の実施形態では、その他の適したプリアンブルが生成される。プリアンブルは、複数のＯＦＤＭシンボルを有する第１フィールドを含む。ある実施形態では、第１フィールドは、図１３Ａの信号フィールド１３０２である。他の実施形態では、第１フィールドとしてその他の適した第１フィールドが用いられる。第１フィールドは、少なくとも第１ＯＦＤＭシンボル、第２ＯＦＤＭシンボル及び第３ＯＦＤＭシンボルを含む。
【０１１８】
データユニットが第３通信プロトコルに準拠することを判断するために、第１ＯＦＤＭシンボルが、第２通信プロトコルに準拠するが第１通信プロトコルには準拠しない受信デバイスによってデコード可能であるように、第１ＯＦＤＭシンボルは形式化される。ある実施形態では、第１ＯＦＤＭシンボルは、例えば、図１３ＡのＵＨＴ−ＳＩＧＡ１ １３０２−１として形式化される。本実施形態では、第１ＯＦＤＭシンボルは、ＢＰＳＫ変調に準拠して変調される。ある実施形態では、第１ＯＦＤＭシンボルのＢＰＳＫ変調によって、第２通信プロトコルに準拠するデバイス（例えば、ＩＥＥＥ−８０２．１１ｎ標準に準拠するレガシークライアント局）は、データユニットが第３通信プロトコル（例えば、ＩＥＥＥ−８０２．１１ａ標準）に準拠することを判断することができる。
【０１１９】
データユニットが第３通信プロトコルに準拠することを判断するために、第２ＯＦＤＭシンボル及び第１ＯＦＤＭシンボルが、第４通信プロトコルに準拠するが第１通信プロトコルには準拠しない受信デバイスによってデコード可能であるように、第２ＯＦＤＭシンボルは形式化される。ある実施形態では、第２ＯＦＤＭシンボルは、例えば、図１３ＡのＵＨＴ−ＳＩＧＡ２ １３０２−２として形式化される。本実施形態では、第２ＯＦＤＭシンボルは、ＢＰＳＫ変調に準拠して変調される。ある実施形態では、第１ＯＦＤＭシンボルのＢＰＳＫ変調によって、第４通信プロトコルに準拠するデバイス（例えば、ＩＥＥＥ−８０２．１１ａｃ標準に準拠するレガシークライアント局）は、第１ＯＦＤＭシンボルのＢＰＳＫ変調と共同して、データユニットが第３通信プロトコル（例えば、ＩＥＥＥ−８０２．１１ａ標準）に準拠することを判断することができる。
【０１２０】
第１通信プロトコルに準拠する受信デバイスが、データユニットが第１通信プロトコルに準拠していることを判断できるように、第３ＯＦＤＭシンボルは形式化される。ある実施形態では、第３ＯＦＤＭシンボルは、例えば、図１３ＡのＵＨＴ−ＳＩＧＡ３ １３０２−３として形式化される。本実施形態では、第３ＯＦＤＭシンボルは、Ｑ−ＢＰＳＫ変調に準拠して変調される。ある実施形態では、第３ＯＦＤＭシンボルのＱ−ＢＰＳＫ変調により、第１通信プロトコル（例えば、ＵＨＴ通信プロトコル）に準拠するデバイスは、データユニットが第１通信プロトコルに準拠することを判断することができる。
【０１２１】
ブロック１７０４において、データユニットは、少なくともプリアンブルを含むように生成される。ある実施形態では、図１３Ａのデータユニット１３００が生成される。ある実施形態では、データユニット１３００が生成されるが、そこでは、データユニット１３００はデータ部７１６を省略する。他の実施形態では、データユニット１３００が生成されるが、そこでは、データユニット１３００はデータ部７１６を含む。他の実施形態では、その他の適したデータユニットが生成される。いくつかの実施形態では、データユニットが、データ部を含むように生成された場合、データ部は、データ部が第１通信プロトコルには準拠するが、第２通信プロトコル、第３通信プロトコル及び第４通信プロトコルの何れにも準拠しないように生成される。
【０１２２】
上述したさまざまなブロック、動作及び技法の少なくともいくつかは、ハードウェア、ファームウェア命令を実行するプロセッサ、ソフトウェア命令を実行するプロセッサ、又はそれらの組み合わせを利用して実施されてもよい。ソフトウェア又はファームウェア命令を実行するプロセッサを利用して実施された場合には、ソフトウェア又はファームウェア命令は、磁気ディスク、光学ディスク、その他のストレージ媒体、ＲＡＭ、ＲＯＭ、フラッシュメモリ、プロセッサ、ハードディスクドライブ、光学ディスクドライブ、又はテープドライブ等の如何なるコンピュータ可読メモリに格納されてもよい。同様に、ソフトウェア又はファームウェア命令は、周知又は望ましい受け渡し方法、例えば、コンピュータ可読ディスク、その他の可搬コンピュータストレージメカニズム、又は通信媒体を用いて、ユーザ又はシステムに受け渡されてもよい。通信媒体は、典型的に、コンピュータ可読命令、データ構造、プログラムモジュール、或いは、搬送波又はその他の伝送メカニズム等の変調されたデータ信号におけるその他のデータを具現化する。「変調されたデータ信号」との用語は、信号内の情報をエンコードするような方法で設定又は変更された信号特性の１つ又は複数を有する信号を意味する。例として、これらには限定されないが、通信媒体は、有線ネットワーク又はダイレクト有線接続等の有線媒体、並びに、音響、無線周波数、赤外及びその他の無線媒体等の無線媒体を含む。よって、ソフトウェア又はファームウェア命令は、電話線、ＤＳＬ線、ケーブルテレビ線、ファイバ光線、無線通信チャネル、又はインターネット等（これらは、可搬ストレージ媒体を用いてそのようなソフトウェアを提供することにおいて、同一又は置き換え可能としてみなされる）の通信チャネルを介して、ユーザ又はシステムに受け渡される。ソフトウェア又はファームウェア命令は、プロセッサによって実行されたときに、プロセッサにさまざまな動作を実行させるマシン可読命令を含んでもよい。
【０１２３】
ハードウェアによって実装される場合には、ハードウェアは、ディスクリートコンポーネント、集積回路、特定用途向け集積回路（ＡＳＩＣ）等の１つ又は複数を備えてもよい。
【０１２４】
本発明を特定の例を参照して示してきたが、これは説明の目的だけのものであり、本発明を限定することを意図してはいない。本発明の範囲を逸脱しない範囲において、開示された実施形態に対して変更、追加及び／又は削除がなされてもよい。
【図１】
2015518322.tif 000003
【図２Ａ】
2015518322.tif 000004
【図２Ｂ】
2015518322.tif 000005
【図３】
2015518322.tif 000006
【図４】
2015518322.tif 000007
【図５】
2015518322.tif 000008
【図６Ａ】
2015518322.tif 000009
【図６Ｂ】
2015518322.tif 000010
【図７Ａ】
2015518322.tif 000011
【図７Ｂ】
2015518322.tif 000012
【図８Ａ】
2015518322.tif 000013
【図８Ｂ】
2015518322.tif 000014
【図８Ｃ】
2015518322.tif 000015
【図８Ｄ】
2015518322.tif 000016
【図８Ｅ】
2015518322.tif 000017
【図８Ｆ】
2015518322.tif 000018
【図９Ａ】
2015518322.tif 000019
【図９Ｂ】
2015518322.tif 000020
【図９Ｃ】
2015518322.tif 000021
【図１０】
2015518322.tif 000022
【図１１】
2015518322.tif 000023
【図１２】
2015518322.tif 000024
【図１３Ａ】
2015518322.tif 000025
【図１３Ｂ】
2015518322.tif 000026
【図１４Ａ】
2015518322.tif 000027
【図１４Ｂ】
2015518322.tif 000028
【図１５】
2015518322.tif 000029
【図１６】
2015518322.tif 000030
【図１７】
2015518322.tif 000031
【国際調査報告】
2015518322.tif 000032
2015518322.tif 000033